(57)【要約】      （修正有）【課題】移動局（ＭＳ）の位置を使用して、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの無線アクセス技術（ＲＡＴ）におけるネットワークエントリ動作、ネットワーク初期化動作、スキャン動作、および／またはハンドオーバ動作を支援するための方法および装置を提供する。【解決手段】ＭＳの位置は、ＭＳのグローバルポジショニングシステム（ＧＰＳ）座標を内部で算出することによって、またはＭＳの外部のＧＰＳデバイスから位置を受信することによって、確認されることが可能である。ＭＳの現在の位置、または将来の位置の知識は、ＭＳに伝送される基地局（ＢＳ）情報の量を低減することが可能であり、ネットワークエントリ中、スキャン中、またはハンドオーバ中の電力消費量および費やされる時間を低減することが可能であり、さらに帯域幅使用効率を向上させることが可能である。【選択図】図１３
2014116980.tif 000002
【特許請求の範囲】
【請求項１】
移動局（ＭＳ）がスキャンする、またはハンドオーバする１つまたは複数の隣接基地局（ＢＳ）候補を決定するための方法であって、
前記ＭＳの位置を示す信号を送信すること、
および複数の隣接基地局から前記ＭＳの前記位置に基づいて選択された前記１つまたは複数の隣接ＢＳ候補を備えるメッセージを受信すること
を備える方法。
【請求項２】
前記メッセージは、隣接基地局公示（ＭＯＢ＿ＮＢＲ−ＡＤＶ）メッセージを備える請求項１の方法。
【請求項３】
グローバルポジショニングシステム（ＧＰＳ）を使用して前記ＭＳの前記位置を特定することをさらに備える請求項１の方法。
【請求項４】
前記ＭＳの前記位置を特定することは、前記ＭＳの外部のＧＰＳデバイスと通信することを備える請求項３の方法。
【請求項５】
前記位置は、前記ＭＳの速度ベクトルおよび現在の位置に基づく前記ＭＳの将来の位置である請求項１の方法。
【請求項６】
前記メッセージは、選択された前記１つまたは複数の隣接ＢＳ候補のそれぞれに関する位置を備える請求項１の方法。
【請求項７】
前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けることをさらに備える請求項６の方法。
【請求項８】
前記優先順位付けされた隣接ＢＳ候補の少なくとも１つを探してスキャンすることをさらに備える請求項７の方法。
【請求項９】
前記ＭＳの前記位置と前記優先順位付けされた隣接ＢＳ候補の１つの候補の位置の間の距離に基づいて、ハンドオーバをトリガすることをさらに備える請求項７の方法。
【請求項１０】
前記ＭＳの移動方向に基づいて、または前記ＭＳの前記移動方向、および前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けることをさらに備える請求項６の方法。
【請求項１１】
１つまたは複数のプロセッサによって実行可能である命令が格納されているコンピュータ可読媒体を備える、移動局（ＭＳ）がスキャンする、またはハンドオーバする１つまたは複数の隣接基地局（ＢＳ）候補を決定するためのコンピュータプログラム製品であって、
前記命令は、
前記ＭＳの位置を示す信号を送信するための命令、
複数の隣接基地局から前記ＭＳの前記位置に基づいて選択された前記１つまたは複数の隣接ＢＳ候補を備えるメッセージを受信するための命令
を備えるコンピュータプログラム製品。
【請求項１２】
前記メッセージは、隣接基地局公示（ＭＯＢ＿ＮＢＲ−ＡＤＶ）メッセージを備える請求項１１のコンピュータプログラム製品。
【請求項１３】
グローバルポジショニングシステム（ＧＰＳ）を使用して前記ＭＳの前記位置を特定するための命令さらに備える請求項１１のコンピュータプログラム製品。
【請求項１４】
前記ＭＳの前記位置を特定することは、前記ＭＳの外部のＧＰＳデバイスと通信することを備える請求項１３のコンピュータプログラム製品。
【請求項１５】
前記位置は、前記ＭＳの速度ベクトルおよび現在の位置に基づく前記ＭＳの将来の位置である請求項１１のコンピュータプログラム製品。
【請求項１６】
前記メッセージは、選択された前記１つまたは複数の隣接ＢＳ候補のそれぞれに関する位置を備える請求項１１のコンピュータプログラム製品。
【請求項１７】
前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための命令をさらに備える請求項１６のコンピュータプログラム製品。
【請求項１８】
前記優先順位付けされた隣接ＢＳ候補の少なくとも１つを探してスキャンするための命令をさらに備える請求項１７のコンピュータプログラム製品。
【請求項１９】
前記ＭＳの前記位置と前記優先順位付けされた隣接ＢＳ候補の１つの候補の位置の間の距離に基づいて、ハンドオーバをトリガするための命令をさらに備える請求項１７のコンピュータプログラム製品。
【請求項２０】
前記ＭＳの移動方向に基づいて、または前記ＭＳの前記移動方向、および前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための命令をさらに備える請求項１６のコンピュータプログラム製品。
【請求項２１】
移動局（ＭＳ）がスキャンする、またはハンドオーバする１つまたは複数の隣接基地局（ＢＳ）候補を決定するための装置であって、
前記ＭＳの位置を示す信号を送信するための手段、
および複数の隣接基地局から前記ＭＳの前記位置に基づいて選択された前記１つまたは複数の隣接ＢＳ候補を備えるメッセージを受信するための手段
を備える装置。
【請求項２２】
前記メッセージは、隣接基地局公示（ＭＯＢ＿ＮＢＲ−ＡＤＶ）メッセージを備える請求項２１の装置。
【請求項２３】
グローバルポジショニングシステム（ＧＰＳ）を使用して前記ＭＳの前記位置を特定するための手段さらに備える請求項２１の装置。
【請求項２４】
前記ＭＳの前記位置を特定するための前記手段は、前記ＭＳの外部のＧＰＳデバイスを備える請求項２３の装置。
【請求項２５】
前記位置は、前記ＭＳの速度ベクトルおよび現在の位置に基づく前記ＭＳの将来の位置である請求項２１の装置。
【請求項２６】
前記メッセージは、選択された前記１つまたは複数の隣接ＢＳ候補のそれぞれに関する位置を備える請求項２１の装置。
【請求項２７】
前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための手段をさらに備える請求項２６の装置。
【請求項２８】
前記優先順位付けされた隣接ＢＳ候補の少なくとも１つを探してスキャンするための手段をさらに備える請求項２７の装置。
【請求項２９】
前記ＭＳの前記位置と前記優先順位付けされた隣接ＢＳ候補の１つの候補の位置の間の距離に基づいて、ハンドオーバをトリガするための手段をさらに備える請求項２７の装置。
【請求項３０】
前記ＭＳの移動方向に基づいて、または前記ＭＳの前記移動方向、および前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための手段をさらに備える請求項２６の装置。
【請求項３１】
移動デバイスの位置を示す信号を送信するように構成された送信機、
および複数の隣接基地局から前記移動デバイスの前記位置に基づいて選択された１つまたは複数の隣接基地局（ＢＳ）候補を備えるメッセージを受信するように構成された受信機
を備える移動デバイス。
【請求項３２】
前記メッセージは、隣接基地局公示（ＭＯＢ＿ＮＢＲ−ＡＤＶ）メッセージを備える請求項３１の移動デバイス。
【請求項３３】
グローバルポジショニングシステム（ＧＰＳ）を使用して前記移動デバイスの前記位置を特定するように構成されたロジックをさらに備える請求項３１の移動デバイス。
【請求項３４】
前記ロジックは、前記移動デバイスの外部のＧＰＳデバイスと通信することによって、前記移動デバイスの前記位置を特定するように構成される請求項３３の移動デバイス。
【請求項３５】
前記位置は、前記移動デバイスの速度ベクトルおよび現在の位置に基づく前記移動デバイスの将来の位置である請求項３１の移動デバイス。
【請求項３６】
前記メッセージは、選択された前記１つまたは複数の隣接ＢＳ候補のそれぞれに関する位置を備える請求項３１の移動デバイス。
【請求項３７】
前記ＢＳ候補のそれぞれに関する前記位置と前記移動デバイスの前記位置の間の距離に基づいて、スキャンされるべき、またはハンドオーバされるべき前記１つまたは複数の隣接ＢＳ候補に優先順位を付けるように構成されたロジックをさらに備える請求項３６の移動デバイス。
【請求項３８】
前記ロジックは、前記優先順位付けされた隣接ＢＳ候補の少なくとも１つを探してスキャンするように構成される請求項３７の移動デバイス。
【請求項３９】
前記ロジックは、前記移動デバイスの前記位置と前記優先順位付けされた隣接ＢＳ候補の１つの候補の位置の間の距離に基づいて、ハンドオーバをトリガするように構成される請求項３７の移動デバイス。
【請求項４０】
前記移動デバイスの移動方向に基づいて、または前記移動デバイスの前記移動方向、および前記ＢＳ候補のそれぞれに関する前記位置と前記移動デバイスの前記位置の間の距離に基づいて、スキャンされるべき、またはハンドオーバされるべき前記１つまたは複数の隣接ＢＳ候補に優先順位を付けるように構成されたロジックをさらに備える請求項３７の移動デバイス。
【請求項４１】
１つまたは複数の隣接基地局（ＢＳ）候補を公示するための方法であって、
移動局（ＭＳ）の位置を示す信号を受信すること、
前記ＭＳの前記位置に基づいて、複数の隣接基地局から前記１つまたは複数の隣接ＢＳ候補を選択すること、
および前記１つまたは複数の隣接ＢＳ候補についての情報を備えるメッセージを送信すること
を備える方法。
【請求項４２】
前記メッセージは、隣接基地局公示（ＭＯＢ＿ＮＢＲ−ＡＤＶ）メッセージを備える請求項４１の方法。
【請求項４３】
前記ＭＳの前記位置は、グローバルポジショニングシステム（ＧＰＳ）座標を備える請求項４１の方法。
【請求項４４】
前記１つまたは複数の隣接ＢＳ候補を選択することは、
前記複数の隣接基地局に関する位置と前記ＭＳの前記位置の間の距離を計算すること、
および或るしきい値未満の前記ＭＳの前記位置までの距離を有する前記複数の基地局のいずれかを前記１つまたは複数の隣接ＢＳ候補にグループ化すること
を備える請求項４１の方法。
【請求項４５】
前記複数の隣接基地局に関する前記位置は、グローバルポジショニングシステム（ＧＰＳ）座標を備える請求項４４の方法。
【請求項４６】
前記ＭＳの前記位置は、前記ＭＳの速度ベクトルおよび現在の位置に基づく前記ＭＳの将来の位置である請求項４１の方法。
【請求項４７】
前記情報は、前記１つまたは複数の隣接ＢＳ候補のそれぞれに関する位置を備える請求項４１の方法。
【請求項４８】
１つまたは複数のプロセッサによって実行可能である命令が格納されているコンピュータ可読媒体を備える、１つまたは複数の隣接基地局（ＢＳ）候補を公示するためのコンピュータプログラム製品であって、
前記命令は、
移動局（ＭＳ）の位置を示す信号を受信するための命令、
前記ＭＳの前記位置に基づいて、複数の隣接基地局から前記１つまたは複数の隣接ＢＳ候補を選択するための命令、
前記１つまたは複数の隣接ＢＳ候補についての情報を備えるメッセージを送信するための命令
を備えるコンピュータプログラム製品。
【請求項４９】
前記メッセージは、隣接基地局公示（ＭＯＢ＿ＮＢＲ−ＡＤＶ）メッセージを備える請求項４８のコンピュータプログラム製品。
【請求項５０】
前記ＭＳの前記位置は、グローバルポジショニングシステム（ＧＰＳ）座標を備える請求項４８のコンピュータプログラム製品。
【請求項５１】
前記１つまたは複数の隣接ＢＳ候補を選択するための前記命令は、
前記複数の隣接基地局に関する位置と前記ＭＳの前記位置の間の距離を計算するための命令、
および或るしきい値未満の前記ＭＳの前記位置までの距離を有する前記複数の基地局のいずれかを前記１つまたは複数の隣接ＢＳ候補にグループ化するための命令
を備える請求項４８のコンピュータプログラム製品。
【請求項５２】
前記複数の隣接基地局に関する前記位置は、グローバルポジショニングシステム（ＧＰＳ）座標を備える請求項５１のコンピュータプログラム製品。
【請求項５３】
前記ＭＳの前記位置は、前記ＭＳの速度ベクトルおよび現在の位置に基づく前記ＭＳの将来の位置である請求項４８のコンピュータプログラム製品。
【請求項５４】
前記情報は、前記１つまたは複数の隣接ＢＳ候補のそれぞれに関する位置を備える請求項４８のコンピュータプログラム製品。
【請求項５５】
１つまたは複数の隣接基地局（ＢＳ）候補を公示するための装置であって、
移動局（ＭＳ）の位置を示す信号を受信するための手段、
前記ＭＳの前記位置に基づいて、複数の隣接基地局から前記１つまたは複数の隣接ＢＳ候補を選択するための手段、
および前記１つまたは複数の隣接ＢＳ候補についての情報を備えるメッセージを送信するための手段
を備える装置。
【請求項５６】
前記メッセージは、隣接基地局公示（ＭＯＢ＿ＮＢＲ−ＡＤＶ）メッセージを備える請求項５５の装置。
【請求項５７】
前記ＭＳの前記位置は、グローバルポジショニングシステム（ＧＰＳ）座標を備える請求項５５の装置。
【請求項５８】
前記１つまたは複数の隣接ＢＳ候補を選択するための前記手段は、前記複数の隣接基地局に関する位置と前記ＭＳの前記位置の間の距離を計算し、さらに或るしきい値未満の前記ＭＳの前記位置までの距離を有する前記複数の基地局のいずれかを前記１つまたは複数の隣接ＢＳ候補にグループ化するように構成される請求項５５の装置。
【請求項５９】
前記複数の隣接基地局に関する前記位置は、グローバルポジショニングシステム（ＧＰＳ）座標を備える請求項５８の装置。
【請求項６０】
前記ＭＳの前記位置は、前記ＭＳの速度ベクトルおよび現在の位置に基づく前記ＭＳの将来の位置である請求項５５の装置。
【請求項６１】
前記情報は、前記１つまたは複数の隣接ＢＳ候補のそれぞれに関する位置を備える請求項５５の装置。
【請求項６２】
移動局（ＭＳ）の位置を示す信号を受信するように構成された受信機、
前記ＭＳの前記位置に基づいて、複数の隣接基地局（ＢＳ）から１つまたは複数の隣接ＢＳ候補を選択するように構成されたロジック、
および前記１つまたは複数の隣接ＢＳ候補についての情報を備えるメッセージを送信するように構成された送信機
を備える基地局。
【請求項６３】
前記メッセージは、隣接基地局公示（ＭＯＢ＿ＮＢＲ−ＡＤＶ）メッセージを備える請求項６２の基地局。
【請求項６４】
前記ＭＳの前記位置は、グローバルポジショニングシステム（ＧＰＳ）座標を備える請求項６２の基地局。
【請求項６５】
前記１つまたは複数の隣接ＢＳ候補を選択するための前記手段は、前記複数の隣接基地局に関する位置と前記ＭＳの前記位置の間の距離を計算し、さらに或るしきい値未満の前記ＭＳの前記位置までの距離を有する前記複数の基地局のいずれかを前記１つまたは複数の隣接ＢＳ候補にグループ化するように構成される請求項６２の基地局。
【請求項６６】
前記複数の隣接基地局に関する前記位置は、グローバルポジショニングシステム（ＧＰＳ）座標を備える請求項６５の基地局。
【請求項６７】
前記ＭＳの前記位置は、前記ＭＳの速度ベクトルおよび現在の位置に基づく前記ＭＳの将来の位置である請求項６２の基地局。
【請求項６８】
前記情報は、前記１つまたは複数の隣接ＢＳ候補のそれぞれに関する位置を備える請求項６２の基地局。
【請求項６９】
移動局（ＭＳ）がスキャンする、またはハンドオーバする隣接基地局候補の優先順位を決定するための方法であって、
複数の隣接基地局（ＢＳ）についての、前記複数の隣接ＢＳのそれぞれに関する位置を含む情報を獲得すること、
および前記複数の隣接ＢＳのそれぞれに関する前記位置と前記ＭＳの位置の間の距離に基づいて、スキャンされるべき、またはハンドオーバされるべき前記複数の隣接ＢＳに優先順位を付けること
を備える方法。
【請求項７０】
前記情報を獲得することは、前記複数の隣接ＢＳのそれぞれに関する前記位置を含む前記情報を有する隣接基地局公示（ＭＯＢ＿ＮＢＲ−ＡＤＶ）メッセージを受信することを備える請求項６９の方法。
【請求項７１】
グローバルポジショニングシステム（ＧＰＳ）を使用して前記ＭＳの前記位置を特定することをさらに備える請求項６９の方法。
【請求項７２】
前記ＭＳの前記位置を特定することは、前記ＭＳの外部のＧＰＳデバイスと通信することを備える請求項７１の方法。
【請求項７３】
前記ＭＳの前記位置は、前記ＭＳの速度ベクトルおよび現在の位置に基づく前記ＭＳの将来の位置である請求項６９の方法。
【請求項７４】
前記複数の隣接ＢＳに優先順位を付けることは、
前記ＭＳの前記位置に基づいて、前記複数の隣接ＢＳのサブセットを選択すること、
および前記サブセットの中の前記複数の隣接ＢＳのそれぞれに関する前記位置と前記ＭＳの前記位置の間の距離に基づいて、スキャンされるべき、またはハンドオーバされるべき前記サブセットに優先順位を付けること
を備える請求項６９の方法。
【請求項７５】
前記サブセットを選択することは、
前記複数の隣接ＢＳのそれぞれに関する前記位置と前記ＭＳの前記位置の間の距離を計算すること、
および或るしきい値未満の前記ＭＳの前記位置までの距離を有する前記複数の基地局のいずれかを前記サブセットにグループ化すること
を備える請求項７４の方法。
【請求項７６】
前記優先順位付けされた複数の隣接ＢＳの少なくとも１つを探してスキャンすることをさらに備える請求項６９の方法。
【請求項７７】
前記ＭＳの前記位置と前記優先順位付けされた複数の隣接ＢＳの１つのＢＳの位置の間の距離に基づいて、ハンドオーバをトリガすることをさらに備える請求項６９の方法。
【請求項７８】
前記情報を獲得することは、通常の動作中に前記複数の隣接ＢＳのそれぞれに関する前記位置を含む前記情報を学習することを備える請求項６９の方法。
【請求項７９】
前記情報を獲得することは、前記複数の隣接ＢＳのそれぞれに関する前記位置を、前記複数の隣接ＢＳのそれぞれについての前記情報の残りの部分とマッチングさせるテーブルを受信することを備える請求項６９の方法。
【請求項８０】
前記テーブルを置き換えること、前記テーブルに少なくとも１つの新たなエントリを追加すること、前記テーブルから少なくとも１つの既存のエントリを削除すること、または前記少なくとも１つの既存のエントリを変更することによって、前記テーブルを更新することをさらに備える請求項７９の方法。
【請求項８１】
前記複数の隣接ＢＳに優先順位を付けることは、前記ＭＳの移動方向、および前記複数の隣接ＢＳのそれぞれに関する前記位置と前記ＭＳの前記位置の間の距離に基づいて、スキャンされるべき、またはハンドオーバされるべき前記複数の隣接ＢＳに優先順位を付けることを備える請求項６９の方法。
【請求項８２】
１つまたは複数のプロセッサによって実行可能である命令が格納されているコンピュータ可読媒体を備える、移動局（ＭＳ）がスキャンする、またはハンドオーバする隣接基地局候補の優先順位を決定するためのコンピュータプログラム製品であって、
前記命令は、
複数の隣接基地局（ＢＳ）についての、前記複数の隣接ＢＳのそれぞれに関する位置を含む情報を獲得するための命令、
および前記複数の隣接ＢＳのそれぞれに関する前記位置と前記ＭＳの位置の間の距離に基づいて、スキャンされるべき、またはハンドオーバされるべき前記複数の隣接ＢＳに優先順位を付けるための命令
を備えるコンピュータプログラム製品。
【請求項８３】
前記情報を獲得するための前記命令は、前記複数の隣接ＢＳのそれぞれに関する前記位置を含む前記情報を有する隣接基地局公示（ＭＯＢ＿ＮＢＲ−ＡＤＶ）メッセージを受信するための命令を備える請求項８２のコンピュータプログラム製品。
【請求項８４】
グローバルポジショニングシステム（ＧＰＳ）を使用して前記ＭＳの前記位置を特定するための命令をさらに備える請求項８２のコンピュータプログラム製品。
【請求項８５】
前記ＭＳの前記位置を特定するための前記命令は、前記ＭＳの外部のＧＰＳデバイスと通信するための命令を備える請求項８４のコンピュータプログラム製品。
【請求項８６】
前記ＭＳの前記位置は、前記ＭＳの速度ベクトルおよび現在の位置に基づく前記ＭＳの将来の位置である請求項８２のコンピュータプログラム製品。
【請求項８７】
前記複数の隣接ＢＳに優先順位を付けるための命令は、
前記ＭＳの前記位置に基づいて、前記複数の隣接ＢＳのサブセットを選択するための命令、
および前記サブセットの中の前記複数の隣接ＢＳのそれぞれに関する前記位置と前記ＭＳの前記位置の間の距離に基づいて、スキャンされるべき、またはハンドオーバされるべき前記サブセットに優先順位を付けるための命令
を備える請求項８２のコンピュータプログラム製品。
【請求項８８】
前記サブセットを選択するための前記命令は、
前記複数の隣接ＢＳのそれぞれに関する前記位置と前記ＭＳの前記位置の間の距離を計算するための命令、
および或るしきい値未満の前記ＭＳの前記位置までの距離を有する前記複数の基地局のいずれかを前記サブセットにグループ化するための命令
を備える請求項８７のコンピュータプログラム製品。
【請求項８９】
前記命令は、前記優先順位付けされた複数の隣接ＢＳの少なくとも１つを探してスキャンするための命令をさらに備える請求項８２のコンピュータプログラム製品。
【請求項９０】
前記命令は、前記ＭＳの前記位置と前記優先順位付けされた複数の隣接ＢＳの１つのＢＳの位置の間の距離に基づいて、ハンドオーバをトリガするための命令をさらに備える請求項８２のコンピュータプログラム製品。
【請求項９１】
前記情報を獲得するための前記命令は、通常の動作中に前記複数の隣接ＢＳのそれぞれに関する前記位置を含む前記情報を学習するための命令を備える請求項８２のコンピュータプログラム製品。
【請求項９２】
前記情報を獲得するための前記命令は、前記複数の隣接ＢＳのそれぞれに関する前記位置を、前記複数の隣接ＢＳのそれぞれについての前記情報の残りの部分とマッチングさせるテーブルを受信するための命令を備える請求項８２のコンピュータプログラム製品。
【請求項９３】
前記命令は、前記テーブルを置き換えること、前記テーブルに少なくとも１つの新たなエントリを追加すること、前記テーブルから少なくとも１つの既存のエントリを削除すること、または前記少なくとも１つの既存のエントリを変更することによって、前記テーブルを更新するための命令をさらに備える請求項９２のコンピュータプログラム製品。
【請求項９４】
前記複数の隣接ＢＳに優先順位を付けるための前記命令は、前記ＭＳの移動方向、および前記複数の隣接ＢＳのそれぞれに関する前記位置と前記ＭＳの前記位置の間の距離に基づいて、スキャンされるべき、またはハンドオーバされるべき前記複数の隣接ＢＳに優先順位を付けるための命令を備える請求項８２のコンピュータプログラム製品。
【請求項９５】
移動局（ＭＳ）がスキャンする、またはハンドオーバする隣接基地局候補の優先順位を決定するための装置であって、
複数の隣接基地局（ＢＳ）についての、前記複数の隣接ＢＳのそれぞれに関する位置を含む情報を獲得するための手段、
および前記複数の隣接ＢＳのそれぞれに関する前記位置と前記ＭＳの位置の間の距離に基づいて、スキャンされるべき、またはハンドオーバされるべき前記複数の隣接ＢＳに優先順位を付けるための手段
を備える装置。
【請求項９６】
前記情報を獲得するための前記手段は、前記複数の隣接ＢＳのそれぞれに関する前記位置を含む前記情報を有する隣接基地局公示（ＭＯＢ＿ＮＢＲ−ＡＤＶ）メッセージを受信するための手段を備える請求項９５の装置。
【請求項９７】
グローバルポジショニングシステム（ＧＰＳ）を使用して前記ＭＳの前記位置を特定するための手段をさらに備える請求項９５の装置。
【請求項９８】
前記ＭＳの前記位置を特定するための前記手段は、前記ＭＳの外部のＧＰＳデバイスを備える請求項９７の装置。
【請求項９９】
前記ＭＳの前記位置は、前記ＭＳの速度ベクトルおよび現在の位置に基づく前記ＭＳの将来の位置である請求項９５の装置。
【請求項１００】
前記複数の隣接ＢＳに優先順位を付けるための前記手段は、前記ＭＳの前記位置に基づいて、前記複数の隣接ＢＳのサブセットを選択し、さらに前記サブセットの中の前記複数の隣接ＢＳのそれぞれに関する前記位置と前記ＭＳの前記位置の間の距離に基づいて、スキャンされるべき、またはハンドオーバされるべき前記サブセットに優先順位を付けるように構成される請求項９５の装置。
【請求項１０１】
前記サブセットを選択するための前記手段は、前記複数の隣接ＢＳのそれぞれに関する前記位置と前記ＭＳの前記位置の間の距離を計算し、さらに或るしきい値未満の前記ＭＳの前記位置までの距離を有する前記複数の基地局のいずれかを前記サブセットにグループ化するように構成される請求項１００の装置。
【請求項１０２】
前記優先順位付けされた複数の隣接ＢＳの少なくとも１つを探してスキャンするための手段をさらに備える請求項９５の装置。
【請求項１０３】
前記ＭＳの前記位置と前記優先順位付けされた複数の隣接ＢＳの１つのＢＳの位置の間の距離に基づいて、ハンドオーバをトリガするための手段をさらに備える請求項９５の装置。
【請求項１０４】
前記情報を獲得するための前記手段は、通常の動作中に前記複数の隣接ＢＳのそれぞれに関する前記位置を含む前記情報を学習するように構成される請求項９５の装置。
【請求項１０５】
前記情報を獲得するための前記手段は、前記複数の隣接ＢＳのそれぞれに関する前記位置を、前記複数の隣接ＢＳのそれぞれについての前記情報の残りの部分とマッチングさせるテーブルを受信するように構成される請求項９５の装置。
【請求項１０６】
前記テーブルを置き換える、前記テーブルに少なくとも１つの新たなエントリを追加する、前記テーブルから少なくとも１つの既存のエントリを削除する、または前記少なくとも１つの既存のエントリを変更するように構成された前記テーブルを更新するための手段をさらに備える請求項１０５の装置。
【請求項１０７】
前記複数の隣接ＢＳに優先順位を付けるための前記手段は、前記ＭＳの移動方向、および前記複数の隣接ＢＳのそれぞれに関する前記位置と前記ＭＳの前記位置の間の距離に基づいて、スキャンされるべき、またはハンドオーバされるべき前記複数の隣接ＢＳに優先順位を付けるための手段を備える請求項９５の装置。
【請求項１０８】
移動デバイスであって、
複数の隣接基地局（ＢＳ）についての、前記複数の隣接ＢＳのそれぞれに関する位置を含む情報を獲得するように構成された収集ロジック、
および前記複数の隣接ＢＳのそれぞれに関する前記位置と当該移動デバイスの位置の間の距離に基づいて、スキャンされるべき、またはハンドオーバされるべき前記複数の隣接ＢＳに優先順位を付けるように構成された優先順位付けロジック
を備える移動デバイス。
【請求項１０９】
前記収集ロジックは、前記複数の隣接ＢＳのそれぞれに関する前記位置を含む前記情報を有する隣接基地局公示（ＭＯＢ＿ＮＢＲ−ＡＤＶ）メッセージを受信するように構成される請求項１０８の移動デバイス。
【請求項１１０】
グローバルポジショニングシステム（ＧＰＳ）を使用して前記移動デバイスの前記位置を特定するように構成された位置特定ロジックをさらに備える請求項１０８の移動デバイス。
【請求項１１１】
前記位置特定ロジックは、前記ＭＳの外部のＧＰＳデバイスと通信するように構成される請求項１１０の移動デバイス。
【請求項１１２】
前記移動デバイスの前記位置は、前記移動デバイスの速度ベクトルおよび現在の位置に基づく前記移動デバイスの将来の位置である請求項１０８の移動デバイス。
【請求項１１３】
前記優先順位付けロジックは、前記移動デバイスの前記位置に基づいて、前記複数の隣接ＢＳのサブセットを選択し、さらに前記サブセットの中の前記複数の隣接ＢＳのそれぞれに関する前記位置と前記移動デバイスの前記位置の間の距離に基づいて、スキャンされるべき、またはハンドオーバされるべき前記サブセットに優先順位を付けるように構成される請求項１０８の移動デバイス。
【請求項１１４】
前記優先順位付けロジックは、前記複数の隣接ＢＳのそれぞれに関する前記位置と前記移動デバイスの前記位置の間の距離を計算し、さらに或るしきい値未満の前記移動デバイスの前記位置までの距離を有する前記複数の基地局のいずれかを前記サブセットにグループ化することによって前記サブセットを選択するように構成される請求項１１３の移動デバイス。
【請求項１１５】
前記優先順位付けされた複数の隣接ＢＳの少なくとも１つを探してスキャンするように構成されたスキャンロジックをさらに備える請求項１０８の移動デバイス。
【請求項１１６】
前記移動デバイスの前記位置と前記優先順位付けされた複数の隣接ＢＳの１つのＢＳの位置の間の距離に基づいて、ハンドオーバをトリガするように構成されたトリガロジックをさらに備える請求項１０８の移動デバイス。
【請求項１１７】
前記収集ロジックは、通常の動作中に前記複数の隣接ＢＳのそれぞれに関する前記位置を含む前記情報を学習するように構成される請求項１０８の移動デバイス。
【請求項１１８】
前記収集ロジックは、前記複数の隣接ＢＳのそれぞれに関する前記位置を、前記複数の隣接ＢＳのそれぞれについての前記情報の残りの部分とマッチングさせるテーブルを受信するように構成される請求項１０８の移動デバイス。
【請求項１１９】
前記収集ロジックは、前記テーブルを置き換えることによって前記テーブルを更新するように、前記テーブルに少なくとも１つの新たなエントリを追加するように、前記テーブルから少なくとも１つの既存のエントリを削除するように、または前記少なくとも１つの既存のエントリを変更するように構成される請求項１１８の移動デバイス。
【請求項１２０】
前記優先順位付けロジックは、前記移動デバイスの移動方向、および前記複数の隣接ＢＳのそれぞれに関する前記位置と前記移動デバイスの前記位置の間の距離に基づいて、スキャンされるべき、またはハンドオーバされるべき前記複数の隣接ＢＳに優先順位を付けるように構成される請求項１０８の移動デバイス。
【請求項１２１】
複数の隣接基地局（ＢＳ）を公示するための方法であって、
前記複数の隣接ＢＳについての、前記複数の隣接ＢＳのそれぞれに関する位置を含む情報を獲得すること、
および前記情報を備えるメッセージを送信することを備える方法。
【請求項１２２】
前記メッセージは、隣接基地局公示（ＭＯＢ＿ＮＢＲ−ＡＤＶ）メッセージを備える請求項１２１の方法。
【請求項１２３】
前記複数の隣接ＢＳのそれぞれに関する前記位置は、グローバルポジショニングシステム（ＧＰＳ）座標を備える請求項１２１の方法。
【請求項１２４】
前記複数の隣接ＢＳのそれぞれに関する前記位置を含む前記情報を獲得することは、ネットワークバックボーンを介して前記情報を受信することを備える請求項１２１の方法。
【請求項１２５】
前記複数の隣接ＢＳについての前記情報を更新すること、
および前記更新された情報を備える新たなメッセージを送信すること
をさらに備える請求項１２１の方法。
【請求項１２６】
前記情報を更新することは、前記複数の隣接ＢＳに追加された新たな基地局に関する情報を追加すること、または前記複数から取り除かれた前記複数の隣接ＢＳの１つに関する情報を取り除くことを備える請求項１２５の方法。
【請求項１２７】
１つまたは複数のプロセッサによって実行可能である命令が格納されているコンピュータ可読媒体を備える、複数の隣接基地局（ＢＳ）を公示するためのコンピュータプログラム製品であって、
前記命令は、
前記複数の隣接ＢＳについての、前記複数の隣接ＢＳのそれぞれに関する位置を含む情報を獲得するための命令、
および前記情報を備えるメッセージを送信するための命令
を備えるコンピュータプログラム製品。
【請求項１２８】
前記メッセージは、隣接基地局公示（ＭＯＢ＿ＮＢＲ−ＡＤＶ）メッセージを備える請求項１２７のコンピュータプログラム製品。
【請求項１２９】
前記複数の隣接ＢＳのそれぞれに関する前記位置は、グローバルポジショニングシステム（ＧＰＳ）座標を備える請求項１２７のコンピュータプログラム製品。
【請求項１３０】
前記複数の隣接ＢＳのそれぞれに関する前記位置を含む前記情報を獲得するための前記命令は、ネットワークバックボーンを介して前記情報を受信するための命令を備える請求項１２７のコンピュータプログラム製品。
【請求項１３１】
前記オペレーションは、
前記複数の隣接ＢＳについての前記情報を更新するための命令、
および前記更新された情報を備える新たなメッセージを送信するための命令
をさらに備える請求項１２７のコンピュータプログラム製品。
【請求項１３２】
前記情報を更新するための前記命令は、前記複数の隣接ＢＳに追加された新たな基地局に関する情報を追加するための命令、または前記複数から取り除かれた前記複数の隣接ＢＳの１つに関する情報を取り除くための命令を備える請求項１３１のコンピュータプログラム製品。
【請求項１３３】
複数の隣接基地局（ＢＳ）を公示するための装置であって、
前記複数の隣接ＢＳについての、前記複数の隣接ＢＳのそれぞれに関する位置を含む情報を獲得するための手段、
および前記情報を備えるメッセージを送信するための手段
を備える装置。
【請求項１３４】
前記メッセージは、隣接基地局公示（ＭＯＢ＿ＮＢＲ−ＡＤＶ）メッセージを備える請求項１３３の装置。
【請求項１３５】
前記複数の隣接ＢＳのそれぞれに関する前記位置は、グローバルポジショニングシステム（ＧＰＳ）座標を備える請求項１３３の装置。
【請求項１３６】
前記複数の隣接ＢＳのそれぞれに関する前記位置を含む前記情報を獲得するための前記手段は、ネットワークバックボーンを介して前記情報を受信するように構成される請求項１３３の装置。
【請求項１３７】
前記複数の隣接ＢＳについての前記情報を更新するための手段、
および前記更新された情報を備える新たなメッセージを送信するための手段
をさらに備える請求項１３３の装置。
【請求項１３８】
前記情報を更新するための前記手段は、前記複数の隣接ＢＳに追加された新たな基地局に関する情報を追加するように、または前記複数から取り除かれた前記複数の隣接ＢＳの１つに関する情報を取り除くように構成される請求項１３７の装置。
【請求項１３９】
複数の隣接基地局（ＢＳ）についての、前記複数の隣接ＢＳのそれぞれに関する位置を含む情報を獲得するように構成されたロジック、
および前記情報を備えるメッセージを送信するように構成された送信機
を備える基地局。
【請求項１４０】
前記メッセージは、隣接基地局公示（ＭＯＢ＿ＮＢＲ−ＡＤＶ）メッセージを備える請求項１３９の基地局。
【請求項１４１】
前記複数の隣接ＢＳのそれぞれに関する前記位置は、グローバルポジショニングシステム（ＧＰＳ）座標を備える請求項１３９の基地局。
【請求項１４２】
前記ロジックは、ネットワークバックボーンを介して、前記複数の隣接ＢＳのそれぞれに関する前記位置を含む前記情報を受信するように構成される請求項１３９の基地局。
【請求項１４３】
前記ロジックは、前記複数の隣接ＢＳについての前記情報を更新するように構成され、さらに前記送信機は、前記更新された情報を備える新たなメッセージを送信するように構成される請求項１３９の基地局。
【請求項１４４】
前記ロジックは、前記複数の隣接ＢＳに追加された新たな基地局に関する情報を追加することによって、または前記複数から取り除かれた前記複数の隣接ＢＳの１つに関する情報を取り除くことによって、前記情報を更新するように構成される請求項１４３の基地局。
【発明の詳細な説明】
【技術分野】
【０００１】
本開示のいくつかの実施形態は、一般に、無線通信に関し、より詳細には、移動局（ｍｏｂｉｌｅ  Ｓｔａｔｉｏｎ：ＭＳ）の位置を使用して、ネットワークエントリ動作およびネットワーク初期化動作、スキャン動作、および／またはハンドオーバ動作を支援することに関する。
【背景技術】
【０００２】
ＩＥＥＥ８０２．１６の下の直交周波数分割多重化（ｏｒｔｈｏｇｏｎａｌ  ｆｒｅｑｕｅｎｃｙ−ｄｉｖｉｓｉｏｎ  ｍｕｌｔｉｐｌｅｘｉｎｇ：ＯＦＤＭ）および直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）無線通信システムは、複数の副搬送波の直交性に基づいて、基地局のネットワークを使用して、システムにおけるサービスに登録された無線デバイス（すなわち、移動局）と通信し、さらにマルチパスフェージングおよびマルチパス干渉に対する耐性などの広帯域無線通信に関するいくつかの技術的利点を実現するように実施され得る。各基地局（ｂａｓｅ  ｓｔａｔｉｏｎ：ＢＳ）は、移動局にデータを伝送する無線周波数（ｒａｄｉｏ  ｆｒｅｑｕｅｎｙ：ＲＦ）信号を発信し、移動局からデータを伝送するＲＦを受信する。
【０００３】
移動局（ＭＳ）が、１つの基地局による範囲に含まれる区域を離れて、別の基地局による範囲に含まれる区域に入ることなどの、様々な理由で、通信サービス（例えば、進行中の呼またはデータセッション）を１つの基地局から別の基地局に移すハンドオーバ（ハンドオフとしても知られる）が実行されることが可能である。ＩＥＥＥ８０２．１６ｅ−２００５において以下の３つのハンドオーバ方法がサポートされる。すなわち、ハードハンドオフ（Ｈａｒｄ  ｈａｎｄｏｆｆ：ＨＨＯ）、高速基地局スイッチング（Ｆａｓｔ  Ｂａｓｅ  Ｓｔａｔｉｏｎ  Ｓｗｉｔｃｉｎｇ：ＦＢＳＳ）、およびマクロダイバーシティハンドオーバ（Ｍａｃｒｏ  Ｄｉｖｅｒｓｉｔｙ  Ｈａｎｄｏｖｅｒ：ＭＤＨＯ）である。これらハンドオーバ方法のうち、ＨＨＯをサポートすることは必須であるのに対して、ＦＢＳＳおよびＭＤＨＯは、２つのオプションの代替である。
【０００４】
ＨＨＯは、１つのＢＳから別のＢＳに急に接続を移すことを暗示する。ハンドオーバ判定は、ＭＳによって、またはＭＳによって報告された測定結果に基づいてＢＳによって行われることが可能である。ＭＳは、ＲＦスキャンを定期的に行い、隣接する基地局の信号品質を測定することが可能である。ハンドオーバ判定は、例えば、或るセルからの信号強度が現在のセルを超えること、ＭＳが位置を変えて、信号フェージングもしくは信号干渉につながること、またはＭＳが、より高いサービス品質（Ｑｕａｌｉｔｙ  ｏｆ  Ｓｅｒｖｉｃｅ：ＱｏＳ）を要求することから生じることが可能である。スキャンは、ＢＳによって割り当てられたスキャン間隔中に実行される。これらの間隔中、ＭＳは、初期レンジングをオプションとして実行すること、および隣接する１つまたは複数の基地局に関連付けられることも許される。ハンドオーバ判定が行われると、ＭＳは、ターゲットＢＳのダウンリンク伝送との同期を開始することができ、レンジングがスキャンを行っている間に行われていない場合、レンジングを実行することができ、次に、前のＢＳとの接続を終了させることができる。ＢＳにおける未配信のプロトコルデータユニット（Ｐｒｏｔｏｃｏｌ  Ｄａｔａ  Ｕｎｉｔ：ＰＤＵ）は、存在する場合、タイマが満了するまで保持されることが可能である。
【０００５】
ＦＢＳＳがサポートされる場合、ＭＳおよびＢＳは、ＭＳを相手にしたＦＢＳＳに関与するＢＳのリストを保持する。このセットは、ダイバーシティセットと呼ばれる。ＦＢＳＳにおいて、ＭＳは、ダイバーシティセットの中の基地局を絶えず監視する。ダイバーシティセットの中のＢＳのうちで、アンカＢＳが定義される。ＦＢＳＳにおいて動作する際、ＭＳは、管理接続およびトラヒック接続を含むアップリンクメッセージおよびダウンリンクメッセージに関して、アンカＢＳとだけ通信する。１つのアンカＢＳから別のアンカＢＳへの遷移（すなわち、ＢＳスイッチング）は、ダイバーシティセットの中の別のＢＳが、現在のアンカＢＳより良好な信号強度を有する場合、実行され得る。アンカ更新手順は、チャネル品質指標チャネル（Ｃｈａｎｎｅｌ  Ｑｕａｌｉｔｙ  Ｉｎｄｉｃａｔｏｒ  Ｃｈａｎｎｅｌ：ＣＱＩＣＨ）または明示的なハンドオーバ（ＨＯ）シグナリングメッセージを介してサービングＢＳと通信することによって可能にされる。
【０００６】
ＦＢＳＳハンドオーバは、ダイバーシティセット内で変更されることが可能なアンカＢＳからデータを受信する、またはそのようなアンカＢＳにデータを送信するＭＳによる決定から始まる。ＭＳは、隣接ＢＳをスキャンし、ダイバーシティセットの中に含められることが適切なＢＳを選択する。ＭＳは、選択されたＢＳを報告し、さらにＢＳおよびＭＳがダイバーシティセットを更新する。ＭＳは、ダイバーシティセットに入っているＢＳの信号強度を絶えず監視することが可能であり、さらにそのセットから１つのＢＳをアンカＢＳとして選択する。ＭＳは、選択されたアンカＢＳをＣＱＩＣＨ上、またはＭＳによって開始されるハンドオーバ要求メッセージ上で報告する。
【０００７】
例えば、ＭＤＨＯをサポートするＭＳおよびＢＳの場合、ＭＳおよびＢＳは、ＭＳを相手にしたＭＤＨＯに関与するＢＳのダイバーシティセットを保持する。ダイバーシティセットの中のＢＳのうちで、アンカＢＳが定義される。通常の動作モードとは、単一のＢＳから成るダイバーシティセットに対するＭＤＨＯの特定の事例を指す。ＭＤＨＯで動作している際、ＭＳは、アップリンクユニキャストおよびダウンリンクユニキャストのメッセージおよびトラヒックのダイバーシティセットの中のすべてのＢＳと通信する。
【０００８】
ＭＤＨＯは、ＭＳが、同一の時間間隔内で複数のＢＳからユニキャストメッセージおよびユニキャストトラヒックを送信または受信することを決定すると、開始する。ダウンリンクＭＤＨＯの場合、２つ以上のＢＳが、ＭＳにおいてダイバーシティ合成が実行されるようにＭＳダウンリンクデータの同期された伝送を提供する。アップリンクＭＤＨＯの場合、受信された情報の選択ダイバーシティが実行される、複数のＢＳによってＭＳからの伝送が受信される。
【０００９】
例えば、サービングＢＳの弱い信号強度のため、潜在的なハンドオーバ候補を探すスキャンに加えて、スキャンは、ＭＳが、ネットワークを最初に獲得しようと試みた際、または信号損失の後にネットワークを再獲得しようとした際に、実行されることも可能である。ＭＳは、ＭＳが有効なダウンリンク信号を見出すまで、ダウンリンク動作周波数帯域の可能なチャネルをスキャンし始めることが可能である。ＭＳがＢＳから有効なダウンリンク信号を獲得すると、ネットワークエントリ手順は、ＩＥＥＥ８０２．１６標準に記載されるとおり、レンジング、基本能力のネゴシエーション、および登録を進めることが可能である。
【発明の概要】
【００１０】
本開示のいくつかの実施形態は、一般に、移動局（ＭＳ）の位置を使用して、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などの無線アクセス技術（ｒａｄｉｏ  ａｃｃｅｓｓ  ｔｅｃｈｎｏｌｏｇｉｅｓ：ＲＡＴ）におけるネットワークエントリ動作およびネットワーク初期化動作、スキャン動作、および／またはハンドオーバ動作を支援することに関する。ＭＳの現在の位置、または将来の位置の知識は、ＭＳに伝送される基地局（ＢＳ）情報の量を低減することが可能であり、ネットワークエントリ中、スキャン中、またはハンドオーバ中の電力消費量および費やされる時間を低減することが可能であり、さらに帯域幅使用効率を向上させることが可能である。
【００１１】
本開示のいくつかの実施形態は、ＭＳがスキャンする、またはハンドオーバする１つまたは複数の隣接ＢＳ候補を決定するための方法を提供する。この方法は、一般に、ＭＳの位置を示す信号を送信すること、および複数の隣接基地局からＭＳの位置に基づいて選択された１つまたは複数の隣接ＢＳ候補を備えるメッセージを受信することを含む。
【００１２】
本開示のいくつかの実施形態は、１つまたは複数のプロセッサによって実行可能である命令が格納されているコンピュータ可読媒体を備える、ＭＳがスキャンする、またはハンドオーバする１つまたは複数の隣接ＢＳ候補を決定するためのコンピュータプログラム製品を提供する。これらの命令は、一般に、ＭＳの位置を示す信号を送信するための命令と、複数の隣接基地局からＭＳの位置に基づいて選択された１つまたは複数の隣接ＢＳ候補を備えるメッセージを受信するための命令とを含む。
【００１３】
本開示のいくつかの実施形態は、ＭＳがスキャンする、またはハンドオーバする１つまたは複数の隣接ＢＳを決定するための装置を提供する。この装置は、一般に、ＭＳの位置を示す信号を送信するための手段と、複数の隣接基地局からＭＳの位置に基づいて選択された１つまたは複数の隣接ＢＳ候補を備えるメッセージを受信するための手段とを含む。
【００１４】
本開示のいくつかの実施形態は、移動デバイスを提供する。この移動デバイスは、一般に、移動デバイスの位置を示す信号を送信するように構成された送信機と、複数の隣接基地局から移動デバイスの位置に基づいて選択された１つまたは複数の隣接ＢＳ候補を備えるメッセージを受信するように構成された受信機とを含む。
【００１５】
本開示のいくつかの実施形態は、１つまたは複数の隣接ＢＳ候補を公示するための方法を提供する。この方法は、一般に、ＭＳの位置を示す信号を受信すること、ＭＳの位置に基づいて、複数の隣接基地局から１つまたは複数の隣接ＢＳ候補を選択すること、およびこの１つまたは複数の隣接ＢＳ候補についての情報を備えるメッセージを送信することを含む。
【００１６】
本開示のいくつかの実施形態は、１つまたは複数のプロセッサによって実行可能である命令が格納されているコンピュータ可読媒体を備える、１つまたは複数の隣接ＢＳ候補を公示するためのコンピュータプログラム製品を提供する。これらの命令は、一般に、ＭＳの位置を示す信号を受信するための命令と、ＭＳの位置に基づいて、複数の隣接基地局から１つまたは複数の隣接ＢＳ候補を選択するための命令と、この１つまたは複数の隣接ＢＳ候補についての情報を備えるメッセージを送信するための命令とを含む。
【００１７】
本開示のいくつかの実施形態は、１つまたは複数の隣接ＢＳ候補を公示するための装置を提供する。この装置は、一般に、ＭＳの位置を示す信号を受信するための手段と、ＭＳの位置に基づいて、複数の隣接基地局から１つまたは複数の隣接ＢＳ候補を選択するための手段と、この１つまたは複数の隣接ＢＳ候補についての情報を備えるメッセージを送信するための手段とを含む。
【００１８】
本開示のいくつかの実施形態は、基地局を提供する。この基地局は、一般に、ＭＳの位置を示す信号を受信するように構成された受信機と、ＭＳの位置に基づいて、複数の隣接基地局から１つまたは複数の隣接ＢＳ候補を選択するように構成されたロジックと、この１つまたは複数の隣接ＢＳ候補についての情報を備えるメッセージを送信するように構成された送信機とを含む。
【００１９】
本開示のいくつかの実施形態は、ＭＳがスキャンする、またはハンドオーバする隣接基地局候補の優先順位を決定するための方法を提供する。この方法は、一般に、複数の隣接ＢＳのそれぞれに関する位置を含む、複数の隣接ＢＳについての情報を獲得すること、および複数の隣接ＢＳのそれぞれに関する位置とＭＳの位置の間の距離に基づいて、スキャンされるべき、またはハンドオーバされるべき複数の隣接ＢＳに優先順位を付けることを含む。
【００２０】
本開示のいくつかの実施形態は、１つまたは複数のプロセッサによって実行可能である命令が格納されているコンピュータ可読媒体を備える、ＭＳがスキャンする、またはハンドオーバする隣接基地局候補の優先順位を決定するためのコンピュータプログラム製品を提供する。これらの命令は、一般に、複数の隣接ＢＳのそれぞれに関する位置を含む、複数の隣接ＢＳについての情報を獲得するための命令と、複数の隣接ＢＳのそれぞれに関する位置とＭＳの位置の間の距離に基づいて、スキャンされるべき、またはハンドオーバされるべき複数の隣接ＢＳに優先順位を付けるための命令とを含む。
【００２１】
本開示のいくつかの実施形態は、ＭＳがスキャンする、またはハンドオーバする隣接基地局候補の優先順位を決定するための装置を提供する。この装置は、一般に、複数の隣接ＢＳのそれぞれに関する位置を含む、複数の隣接ＢＳについての情報を獲得するための手段と、複数の隣接ＢＳのそれぞれに関する位置とＭＳの位置の間の距離に基づいて、スキャンされるべき、またはハンドオーバされるべき複数の隣接ＢＳに優先順位を付けるための手段とを含む。
【００２２】
本開示のいくつかの実施形態は、移動デバイスを提供する。この移動デバイスは、一般に、複数の隣接ＢＳのそれぞれに関する位置を含む、複数の隣接ＢＳについての情報を獲得するように構成された収集ロジックと、複数の隣接ＢＳのそれぞれに関する位置と移動デバイスの位置の間の距離に基づいて、スキャンされるべき、またはハンドオーバされるべき複数の隣接ＢＳに優先順位を付けるように構成された優先順位付けロジックとを含む。
【００２３】
本開示のいくつかの実施形態は、複数の隣接ＢＳを公示するための方法を提供する。この方法は、一般に、複数の隣接ＢＳのそれぞれに関する位置を含む、複数の隣接ＢＳについての情報を獲得すること、およびこの情報を備えるメッセージを送信することを含む。
【００２４】
本開示のいくつかの実施形態は、１つまたは複数のプロセッサによって実行可能である命令が格納されているコンピュータ可読媒体を備える、複数の隣接ＢＳを公示するためのコンピュータプログラム製品を提供する。これらの命令は、一般に、複数の隣接ＢＳのそれぞれに関する位置を含む、複数の隣接ＢＳについての情報を獲得するための命令と、この情報を備えるメッセージを送信するための命令とを含む。
【００２５】
本開示のいくつかの実施形態は、複数の隣接ＢＳを公示するための装置を提供する。この装置は、一般に、複数の隣接ＢＳのそれぞれに関する位置を含む、複数の隣接ＢＳについての情報を獲得するための手段と、この情報を備えるメッセージを送信するための手段とを含む。
【００２６】
本開示のいくつかの実施形態は、基地局を提供する。この基地局は、一般に、複数の隣接ＢＳのそれぞれに関する位置を含む、複数の隣接ＢＳについての情報を獲得するように構成されたロジックと、この情報を備えるメッセージを送信するように構成された送信機とを含む。
【００２７】
本開示の前述した特徴が、より詳細に理解され得るように、上記で簡単に要約されたより詳細な説明が、いくつかが添付の図面に示される実施形態を参照することにより得られえる。しかし、添付の図面は、本開示のいくつかの典型的な実施形態だけしか示さず、したがって、この説明は他の同等に有効な実施形態にも当てはまることが可能であるので、本開示の範囲を限定するものと考えられるべきではないことに留意されるべきである。
【図面の簡単な説明】
【００２８】
【図１】図１は、本開示のいくつかの実施形態による例示的な無線通信システムを示す。
【図２】図２は、本開示のいくつかの実施形態による、無線デバイスにおいて利用されることが可能な様々な構成要素を示す。
【図３】図３は、本開示のいくつかの実施形態による、直交周波数分割多重化および直交周波数分割多元接続（ＯＦＤＭ／ＯＦＤＭＡ）技術を利用する無線通信システム内で使用されることが可能である例示的な送信機、および例示的な受信機を示す。
【図４Ａ】図４Ａは、本開示のいくつかの実施形態による、時分割複信（ＴＤＤ）に関する例示的なＯＦＤＭ／ＯＦＤＭＡフレーム、ならびにそのＯＦＤＭ／ＯＦＤＭＡフレーム内に含まれるダウンリンクフレームプレフィックス（ＤＬＦＰ）情報を含むフレーム制御ヘッダ（ＦＣＨ）のフォーマットを示す。
【図４Ｂ】図４Ｂは、本開示のいくつかの実施形態による、時分割複信（ＴＤＤ）に関する例示的なＯＦＤＭ／ＯＦＤＭＡフレーム、ならびにそのＯＦＤＭ／ＯＦＤＭＡフレーム内に含まれるダウンリンクフレームプレフィックス（ＤＬＦＰ）情報を含むフレーム制御ヘッダ（ＦＣＨ）のフォーマットを示す。
【図５】図５は、本開示のいくつかの実施形態による、移動局（ＭＳ）の位置をサービング基地局（ＢＳ）に送信することに基づいて、ＭＳがスキャンする、またはハンドオーバする１つまたは複数の隣接候補を決定するための例示的な動作を示すフロー図です。
【図５Ａ】図５Ａは、本開示のいくつかの実施形態による、ＭＳがスキャンする、またはハンドオーバする１つまたは複数の隣接ＢＳ候補を決定するための図５の例示的な動作に対応する手段を示すブロック図です。
【図６Ａ】図６Ａは、本開示のいくつかの実施形態による、ＭＳの位置をサービングＢＳに送信すること、およびＭＳの位置に基づく隣接ＢＳの縮小されたセットを有する隣接基地局公示（ＭＯＢ＿ＮＢＲ−ＡＤＶ）メッセージを受信することを示す図です。
【図６Ｂ】図６Ｂは、本開示のいくつかの実施形態による、ＭＳの位置をサービングＢＳに送信すること、およびＭＳの位置に基づく隣接ＢＳの縮小されたセットを有する隣接基地局公示（ＭＯＢ＿ＮＢＲ−ＡＤＶ）メッセージを受信することを示す図です。
【図７】図７は、本開示のいくつかの実施形態による、ＭＳの受信された位置に基づく位置情報を有する１つまたは複数の隣接ＢＳ候補の縮小されたセットを公示するための例示的な動作を示すフロー図です。
【図７Ａ】図７Ａは、本開示のいくつかの実施形態による、位置情報とともに１つまたは複数の隣接ＢＳ候補の縮小されたセットを公示するための図７の例示的な動作に対応する手段を示すブロック図です。
【図８Ａ】図８Ａは、本開示のいくつかの実施形態による、サービングＢＳとＭＳの間の距離と、ターゲットＢＳとＭＳの間の距離との比較に基づいてハンドオーバをトリガすることを示す図です。
【図８Ｂ】図８Ｂは、本開示のいくつかの実施形態による、サービングＢＳとＭＳの間の距離と、ターゲットＢＳとＭＳの間の距離との比較に基づいてハンドオーバをトリガすることを示す図です。
【図９】図９は、本開示のいくつかの実施形態による、位置情報とともに複数の隣接基地局を公示するための例示的な動作を示すフロー図です。
【図９Ａ】図９Ａは、本開示のいくつかの実施形態による、位置情報とともに複数の隣接基地局を公示するための図９の例示的な動作に対応する手段を示すブロック図です。
【図１０】図１０は、本開示のいくつかの実施形態による、サービングＢＳが、隣接ＢＳに関する位置情報を有するＭＯＢ＿ＮＢＲ−ＡＤＶメッセージをＭＳに送信することを示す。
【図１１】図１１は、本開示のいくつかの実施形態による、各ＢＳに関するＧＰＳ座標を含むＢＳ情報を示すテーブルです。
【図１２】図１２は、本開示のいくつかの実施形態による、ＭＳが、２つの地点間の繰り返される経路に沿って移動すること、および繰り返される経路に沿ったＢＳ情報を知ることによって、ＭＳに関する将来の位置を予測することを示す。
【図１３】図１３は、本開示のいくつかの実施形態による、ＭＳの位置、および複数の隣接ＢＳについての獲得された位置情報に基づいて、ＭＳがスキャンする、またはハンドオーバする隣接基地局候補の優先順位を決定するための例示的な動作を示すフロー図です。
【図１３Ａ】図１３Ａは、本開示のいくつかの実施形態による、ＭＳがスキャンする、またはハンドオーバする隣接基地局候補の優先順位を決定するための図１３の例示的な動作に対応する手段を示すブロック図です。
【発明を実施するための形態】
【００２９】
本開示のいくつかの実施形態は、移動局（ＭＳ）の位置を使用して、ＷｉＭＡＸなどの無線アクセス技術（ＲＡＴ）におけるネットワークエントリ動作およびネットワーク初期化動作、スキャン動作、および／またはハンドオーバ動作を支援するための方法および装置を提供する。ＭＳの位置は、ＭＳのグローバルポジショニングシステム（Ｇｌｏｂａｌ  Ｐｏｓｉｔｉｏｎｉｎｇ  Ｓｙｓｔｅｍ：ＧＰＳ）座標を内部で算出することによって、またはＭＳの外部のＧＰＳデバイスから位置を受信することによって、確認されることが可能である。ＭＳの現在の位置、または将来の位置の知識は、ＭＳに伝送される基地局（ＢＳ）情報の量を低減することが可能であり、ネットワークエントリ中、スキャン中、またはハンドオーバ中の電力消費量および費やされる時間を低減することが可能であり、さらに帯域幅使用効率を向上させることが可能である。
【００３０】
例示的な無線通信システム
本開示の方法および装置は、ブロードバンド無線通信システムにおいて利用されることが可能である。「ブロードバンド無線」という用語は、所与の区域にわたって無線アクセス、音声アクセス、インターネットアクセス、および／またはデータネットワークアクセスを提供する技術を指す。
【００３１】
マイクロ波アクセスの世界的相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）を表すＷｉＭＡＸは、長距離にわたる高いスループットのブロードバンド接続を提供する標準ベースのブロードバンド無線技術である。今日、ＷｉＭＡＸの２つの主なアプリケーション、すなわち、固定ＷｉＭＡＸおよび移動体ＷｉＭＡＸが存在する。固定ＷｉＭＡＸアプリケーションは、ポイントツーマルチポイントであり、例えば、自宅およびビジネスへのブロードバンドアクセスを可能にする。移動体ＷｉＭＡＸは、ブロードバンド速度でセルラネットワークの完全な移動性を提供する。
【００３２】
移動体ＷｉＭＡＸは、ＯＦＤＭ（直交周波数分割多重化）技術およびＯＦＤＭＡ（直交周波数分割多元接続）技術に基づく。ＯＦＤＭは、様々な高速データ転送速度通信システムにおいて最近、広く採用されているディジタルマルチキャリア変調技術である。ＯＦＤＭの場合、送信ビットストリームは、複数の、より低速のサブストリームに分割される。各サブストリームは、複数の直交副搬送波の１つで変調され、複数の並列サブチャネルの中の１つを介して送信される。ＯＦＤＭＡは、ユーザに異なるタイムスロット内で副搬送波が割り当てられる多元接続技術である。ＯＦＤＭＡは、多種多様なアプリケーション、データ転送速度、およびサービス品質要件を有する多くのユーザに対応することができる柔軟性のある多元接続技術である。
【００３３】
無線インターネットおよび無線通信の急速な成長が、無線通信サービスの分野における高いデータ転送速度の高まる需要につながっている。ＯＦＤＭ／ＯＦＤＭＡシステムは、今日、最も将来性のある研究分野の１つと見なされ、さらに次世代の無線通信のための重要な技術と見なされている。このことは、ＯＦＤＭ／ＯＦＤＭＡ変調スキームが、従来のシングルキャリア変調スキームに優る、変調効率、スペクトル効率、柔軟性、および強いマルチパス耐性などの多くの利点を提供することができるという事実によるものである。
【００３４】
ＩＥＥＥ８０２．１６ｘは、固定ブロードバンド無線アクセス（ｂｒｏａｄｂａｎｄ  ｗｉｒｅｌｅｓｓ  ａｃｃｅｓｓ：ＢＷＡ）システムおよび移動体ＢＷＡシステムのための無線インターフェースを定義する新興の標準団体である。これらの標準は、少なくとも４つの異なる物理層（ｐｈｙｓｉｃａｌ  ｌａｙｅｒ：ＰＨＹ）、および１つの媒体アクセス制御（ｍｅｄｉａ  ａｃｃｅｓｓ  ｃｏｎｔｏｒｏｌ：ＭＡＣ）層を定義する。これら４つの物理層のＯＦＤＭ物理層およびＯＦＤＭＡ物理層は、固定ＢＷＡ区域および移動体ＢＷＡ区域において最も普及している。
【００３５】
図１は、無線通信システム１００の例である。無線通信システム１００は、ブロードバンド無線通信システムであることが可能である。無線通信システム１００は、それぞれが基地局１０４によるサービスを受ける、いくつかのセル１０２に通信を提供することが可能である。基地局１０４は、ユーザ端末装置１０６と通信する固定局であることが可能である。基地局１０４は、代替として、アクセスポイントと呼ばれる、ノードＢと呼ばれる、または他の何らかの用語で呼ばれることも可能である。
【００３６】
図１は、システム１００全体に散らばった様々なユーザ端末装置１０６を示す。ユーザ端末装置１０６は、固定型（すなわち、据え置き型）であっても、移動型であってもよい。ユーザ端末装置１０６は、代替として、遠隔局、アクセス端末装置、端末装置、加入者ユニット、移動局、局、ユーザ機器などと呼ばれることも可能である。ユーザ端末装置１０６は、セルラ電話機、携帯情報端末（ｐｅｒｓｏｎａｌ  ｄｉｇｉｔａｌ  ａｓｓｉｓｔａｎｔ：ＰＤＡ）、ハンドヘルドデバイス、無線モデム、ラップトップコンピュータ、パーソナルコンピュータ（ｐｅｒｓｏｎａｌ  ｃｏｍｐｕｔｅｒ：ＰＣ）などの無線デバイスであることが可能である。
【００３７】
様々なアルゴリズムおよび方法が、基地局１０４とユーザ端末装置１０６の間の無線通信システム１００における伝送のために使用されることが可能である。例えば、ＯＦＤＭ／ＯＦＤＭＡ技術に従って基地局１０４とユーザ端末装置１０６の間で信号が送受信されることが可能である。ＯＦＤＭ／ＯＦＤＭＡ技術に従って送受信が行われる場合、無線通信システム１００は、ＯＦＤＭ／ＯＦＤＭＡシステムと呼ばれることが可能である。
【００３８】
基地局１０４からユーザ端末装置１０６への伝送を円滑にする通信リンクは、ダウンリンク１０８と呼ばれることが可能であり、ユーザ端末装置１０６から基地局１０４への伝送を円滑にする通信リンクは、アップリンク１１０と呼ばれることが可能である。代替として、ダウンリンク１０８は、順方向リンクまたは順方向チャネルと呼ばれることも可能であり、アップリンク１１０は、逆方向リンクまたは逆方向チャネルと呼ばれることも可能である。
【００３９】
セル１０２は、複数のセクタ１１２に分割されることが可能である。セクタ１１２は、セル１０２内の物理的カバレッジエリアである。無線通信システム１００内の基地局１０４は、セル１０２の或る特定のセクタ１１２内に電力の流れを集中させるアンテナを利用することが可能である。そのようなアンテナは、指向性アンテナと呼ばれることが可能である。
【００４０】
図２は、無線デバイス２０２において利用されることが可能である様々な構成要素を示す。無線デバイス２０２は、本明細書で説明される様々な方法を実施するように構成されることが可能なデバイスの例である。無線デバイス２０２は、基地局１０４またはユーザ端末装置１０６であることが可能である。
【００４１】
無線デバイス２０２は、無線デバイス２０２の動作を制御するプロセッサ２０４を含むことが可能である。プロセッサ２０４は、中央処理装置（ｃｅｎｔｒａｌ  ｐｒｏｃｅｓｓｉｎｇ  ｕｎｉｔ：ＣＰＵ）と呼ばれることも可能である。読取り専用メモリ（ｒｅａｄ−ｏｎｌｙ  ｍｅｍｏｒｙ：ＲＯＭ）とランダムアクセスメモリ（ｒａｎｄｏｍ  ａｃｃｅｓｓ  ｍｅｍｏｒｙ：ＲＡＭ）の両方を含むことが可能なメモリ２０６が、プロセッサ２０４に命令およびデータを供給する。また、メモリ２０６の一部分は、不揮発性ランダムアクセスメモリ（ｎｏｎ−ｖｏｌａｔｉｌｅ  ｒａｎｄｏｍ  ａｃｃｅｓｓ  ｍｅｍｏｒｙ：ＮＶＲＡＭ）を含むことも可能である。プロセッサ２０４は、通常、メモリ２０６内に格納されたプログラム命令に基づいて論理演算および算術演算を実行する。メモリ２０６の中の命令は、本明細書で説明される方法を実施するように実行可能であり得る。
【００４２】
無線デバイス２０２は、無線デバイス２０２と遠隔位置の間でデータの送信および受信を可能にするように送信機２１０および受信機２１２を含むことが可能な筐体２０８を含むことも可能である。送信機２１０と受信機２１２は組み合わされて、トランシーバ２１４にされてもよい。アンテナ２１６が、筐体２０８に取り付けられ、トランシーバ２１４に電気的に結合されることが可能である。また、無線デバイス２０２は、複数の送信機、複数の受信機、複数のトランシーバ、および／または複数のアンテナ（図示せず）を含むことも可能である。
【００４３】
また、無線デバイス２０２は、トランシーバ２１４によって受信される信号のレベルを検出し、定量化しようとして使用されることが可能な信号検出器２１８を含むことも可能である。信号検出器２１８は、合計エネルギー、パイロット副搬送波からのパイロットエネルギー、もしくはプリアンブルシンボルからの信号エネルギー、電力スペクトル密度、およびその他の信号などの信号を検出することが可能である。また、無線デバイス２０２は、信号を処理する際に使用するためのディジタル信号プロセッサ（ｄｉｇｉｔａｌ  ｓｉｇｎａｌ  ｐｒｏｃｅｓｓｏｒ：ＤＳＰ）２２０を含むことも可能である。
【００４４】
無線デバイス２０２の様々な構成要素は、データバスに加えて、電源バス、制御信号バス、およびステータス信号バスを含むことが可能なバスシステム２２２によって一緒に結合されることが可能である。
【００４５】
図３は、ＯＦＤＭ／ＯＦＤＭＡを利用する無線通信システム１００内で使用されることが可能な送信機３０２の例を示す。送信機３０２のいくつかの部分は、無線デバイス２０２の送信機２１０において実施されることが可能である。送信機３０２は、ダウンリンク１０８でユーザ端末装置１０６にデータ３０６を送信するために基地局１０４において実施されることが可能である。また、送信機３０２は、アップリンク１１０で基地局１０４にデータ３０６を送信するためにユーザ端末装置１０６において実施されることも可能である。
【００４６】
伝送されるべきデータ３０６は、直列−並列（Ｓ／Ｐ）変換器３０８に入力として供給されることが図示される。Ｓ／Ｐ変換器３０８は、伝送データをＮ個の並列データストリーム３１０に分割することが可能である。
【００４７】
次に、このＮ個の並列データストリーム３１０は、マッパ３１２に入力として供給されることが可能である。マッパ３１２は、Ｎ個の並列データストリーム３１０をＮ個のコンステレーションポイント上にマッピングすることが可能である。このマッピングは、二位相偏移変調（ｂｉｎａｒｙ  ｐｈａｓｅ−ｓｈｉｆｔ  ｋｅｙｉｎｇ：ＢＰＳＫ）、四位相偏移変調（ｑｕａｄｒａｔｕｒｅ  ｐｈａｓｅ−ｓｈｉｆｔ  ｋｅｙｉｎｇ：ＱＰＳＫ）、八位相偏移変調（８  ｐｈａｓｅ−ｓｈｉｆｔ  ｋｅｙｉｎｇ：８ＰＳＫ）、直交振幅変調（ｑｕａｄｒａｔｕｒｅ  ａｍｐｌｉｔｕｄｅ  ｍｏｄｕｌａｔｉｏｎ：ＱＡＭ）などの、いくつかの変調コンステレーションを使用して行われることが可能である。このため、マッパ３１２は、逆高速フーリエ変換（ｉｎｖｅｒｓｅ  ｆａｓｔ  Ｆｏｕｒｉｅｒ  ｔｒａｎｓｆｏｒｍ：ＩＦＦＴ）３２０のＮ個の直交副搬送波のうちの１つにそれぞれが対応する、Ｎ個の並列シンボルストリーム３１６を出力することが可能である。これらＮ個の並列シンボルストリーム３１６は、周波数領域において表され、さらにＩＦＦＴ構成要素３２０によってＮ個の並列時間領域サンプルストリーム３１８に変換されることが可能である。
【００４８】
次に、用語についての簡単な備考を与える。周波数領域におけるＮ個の並列変調は、周波数領域におけるＮ個の変調シンボルと同等であり、そのような変調シンボルは、周波数領域におけるＮマッピング−ＮポイントＩＦＦＴと同等であり、そのようなＩＦＦＴは、時間領域における１つの（有用な）ＯＦＤＭシンボルと同等であり、そのようなＯＦＤＭシンボルは、時間領域におけるＮ個のサンプルと同等である。時間領域における１つのＯＦＤＭシンボル、Ｎsは、Ｎcp（１つのＯＦＤＭシンボル当りのガードサンプルの数）＋Ｎ（１つのＯＦＤＭシンボル当りの有用なサンプルの数）と同等である。
【００４９】
Ｎ個の並列時間領域サンプルストリーム３１８は、並列−直列（Ｐ／Ｓ）変換器３２４によってＯＦＤＭ／ＯＦＤＭＡシンボルストリーム３２２に変換されることが可能である。ガード挿入構成要素３２６が、ＯＦＤＭ／ＯＦＤＭＡシンボルストリーム３２２の中の相次ぐＯＦＤＭ／ＯＦＤＭＡシンボルの合間にガード間隔を挿入することが可能である。次に、ガード挿入構成要素３２６の出力は、無線周波数（ＲＦ）フロントエンド３２８によって、所望される送信周波数帯域にアップコンバートされることが可能である。次に、アンテナ３３０が、もたらされる信号３３２を送信することが可能である。
【００５０】
また、図３は、ＯＦＤＭ／ＯＦＤＭＡを利用する無線通信システム１００内で使用されることが可能な受信機３０４の例も示す。受信機３０４のいくつかの部分は、無線デバイス２０２の受信機２１２において実施されてもよい。受信機３０４は、ダウンリンク１０８で基地局１０４からデータ３０６を受信するためのユーザ端末装置１０６において実施されることが可能である。また、受信機３０４は、アップリンク１１０でユーザ端末装置１０６からデータ３０６を受信するために基地局１０４において実施されることも可能である。
【００５１】
伝送される信号３３２は、無線チャネル３３４を介して伝送されることが図示される。信号３３２′がアンテナ３３０′によって受信されると、受信された信号３３２′は、ＲＦフロントエンド３２８′によってベースバンド信号にダウンコンバートされることが可能である。次に、ガード除去構成要素３２６′が、ガード挿入構成要素３２６によってＯＦＤＭ／ＯＦＤＭＡシンボルの合間に挿入されたガード間隔を除去することが可能である。
【００５２】
ガード除去構成要素３２６′の出力は、Ｓ／Ｐ変換器３２４′に供給されることが可能である。Ｓ／Ｐ変換器３２４′は、ＯＦＤＭ／ＯＦＤＭＡシンボルストリーム３２２′を分割して、Ｎ個の直交副搬送波のうちの１つにそれぞれが対応する、Ｎ個の並列時間領域シンボルストリーム３１８′にすることが可能である。高速フーリエ変換（ｆａｓｔ  Ｆｏｕｒｉｅｒ  ｔｒａｎｓｆｏｒｍ：ＦＦＴ）構成要素３２０′が、Ｎ個の並列時間領域シンボルストリーム３１８′を周波数領域に変換し、Ｎ個の並列周波数領域シンボルストリーム３１６′を出力することが可能である。
【００５３】
ディマッパ３１２′が、マッパ３１２によって実行されたシンボルマッピング動作の逆を実行して、Ｎ個の並列データストリーム３１０′を出力することが可能である。Ｐ／Ｓ変換器３０８′が、Ｎ個の並列データストリーム３１０′を組み合わせて、単一のデータストリーム３０６′にする。理想的には、データストリーム３０６′は、送信機３０２に入力として供給されたデータ３０６に対応する。
【００５４】
例示的なＯＦＤＭ／ＯＦＤＭＡフレーム
次に図４を参照すると、時分割複信（Ｔｉｍｅ  Ｄｉｖｉｓｉｏｎ  Ｄｕｐｌｅｘ：ＴＤＤ）実施形態に関するＯＦＤＭ／ＯＦＤＭＡフレーム４００が、典型的な、ただし、限定的ではない例として示されている。全複信周波数分割複信（Ｆｒｅｑｕｅｎｃｙ  Ｄｉｖｉｓｉｏｎ  Ｄｕｐｌｅｘ：ＦＤＤ）および半ＦＤＤなどのＯＦＤＭ／ＯＦＤＭＡフレームの他の実施形態が使用されることも可能であり、その場合、フレームは、ダウンリンク（ＤＬ）メッセージおよびアップリンク（ＵＬ）メッセージが異なる搬送波を介して同時に伝送されることを除いて、同一である。ＴＤＤ実施形態において、各フレームは、ＤＬ伝送とＵＬ伝送の衝突を避けようとして、小さいガード間隔４０６によって、または、より具体的には、送信／受信遷移ギャップおよび受信／送信遷移ギャップ（それぞれ、ＴＴＧおよびＲＴＧ）によって分離されることが可能な、ＤＬサブフレーム４０２とＵＬサブフレーム４０４に分割されることが可能である。ＤＬ対ＵＬサブフレーム比は、様々なトラヒックプロファイルをサポートするように３：１から１：１まで異なることが可能である。
【００５５】
ＯＦＤＭ／ＯＦＤＭＡフレーム４００内に、様々な制御情報が含められることが可能である。例えば、フレーム４００の最初のＯＦＤＭ／ＯＦＤＭＡシンボルは、同期のために使用されるいくつかのパイロット信号（パイロット）を含むことが可能なプリアンブル４０８であることが可能である。プリアンブル４０８内の固定パイロット系列は、受信機３０４が、周波数誤差および位相誤差を推定し、送信機３０２に同期することを許すことが可能である。さらに、プリアンブル４０８内の固定パイロット系列は、無線チャネルを推定し、等化するのに利用されることも可能である。プリアンブル４０８は、ＢＰＳＫ変調された搬送波を含むことが可能であり、通常、１ＯＦＤＭシンボル長である。プリアンブル４０８の搬送波は、電力を増大させられることが可能であり、通常、ＷｉＭＡＸ信号の中のデータ部分の周波数領域における電力レベルと比べて、数デシベル（ｄＢ）（例えば、９ｄＢ）高い。使用されるプリアンブル搬送波の番号は、ゾーンの３つのセグメントのいずれが使用されるかを示すことが可能である。例えば、搬送波０、３、６、・・・は、セグメント０が使用されるべきことを示すことが可能であり、搬送波１、４、７、・・・は、セグメント１が使用されるべきことを示すことが可能であり、さらに搬送波２、５、８、・・・は、セグメント２が使用されるべきことを示すことが可能である。
【００５６】
フレーム制御ヘッダ（Ｆｒａｍｅ  Ｃｏｎｔｒｏｌ  Ｈｅａｄｅｒ：ＦＣＨ）４１０が、プリアンブル４０８の後に続くことが可能である。ＦＣＨ４１０は、現在のＯＦＤＭ／ＯＦＤＭＡフレームに関する使用可能なサブチャネル、変調−符号化スキーム、およびＭＡＰメッセージ長などのフレーム構成情報を提供することが可能である。フレーム構成情報の概略を述べるダウンリンクフレームプレフィックス（ｄｏｗｎｌｉｎｋ  Ｆｒａｍｅ  Ｐｒｅｆｉｘ：ＤＬＦＰ）などのデータ構造が、ＦＣＨ４１０にマップされることが可能である。
【００５７】
図４Ｂに示されるとおり、移動体ＷｉＭＡＸに関するＤＬＦＰ４１２は、使用されたサブチャネル（ＳＣＨ）ビットマップを表す６ビット４１２ａ、０に設定された予約ビット４１２ｂ、反復符号化指示を表す２ビット４１２ｃ、符号化指示を表す３ビット４１２ｄ、ＭＡＰメッセージ長を表す８ビット４１２ｅ、および０に設定された４予約ビット４１２ｆの合計で２４ビットをＤＬＦＰ４１２の中に備えることが可能である。ＦＣＨ４１０にマップされる前に、この２４ビットＤＬＦＰは、複製されて、最小前方誤り訂正（ｆｏｒｗａｒｄ  ｅｒｒｏｒ  ｃｏｒｒｅｃｔｉｏｎ：ＦＥＣ）ブロックサイズである４８ビットブロックを形成することが可能である。
【００５８】
ＦＣＨ４１０の後に続いて、ＤＬ−ＭＡＰ４１４およびＵＬ−ＭＡＰ４１６が、ＤＬサブフレーム４０２およびＵＬサブフレーム４０４に関するサブチャネル割当て情報、およびその他の制御情報を指定することが可能である。ＯＦＤＭＡの事例において、複数のユーザにフレーム内のデータ領域が割り当てられることが可能であり、これらの割当てが、ＤＬ−ＭＡＰ４１４およびＵＬ−ＭＡＰ４１６の中で指定されることが可能である。これらのＭＡＰメッセージは、或る特定のリンクにおいて使用される変調−符号化スキームを定義する、各ユーザに関するバーストプロファイルを含むことが可能である。ＭＡＰメッセージは、すべてのユーザに届く必要のある不可欠な情報を含むので、ＤＬ−ＭＡＰ４１４およびＵＬ−ＭＡＰ４１６は、しばしば、レート１／２符号化および反復符号化を用いるＢＰＳＫまたはＱＰＳＫなどの、非常に信頼性が高いリンクを介して送信されることが可能である。ＯＦＤＭ／ＯＦＤＭＡフレームのＤＬサブフレーム４０２は、通信されているダウンリンクデータを含む様々なビット長のＤＬバーストを含むことが可能である。このため、ＤＬ−ＭＡＰ４１４は、ダウンリンクゾーンに含まれるバーストの位置、およびダウンリンクバーストの数、ならびに時間（すなわち、シンボル）方向と周波数（すなわち、サブチャネル）方向の両方における、これらのバーストのオフセットおよび長さを記述することが可能である。
【００５９】
同様に、ＵＬサブフレーム４０４は、通信されているアップリンクデータから成る様々なビット長のＵＬバーストを含むことが可能である。したがって、ダウンリンクサブフレーム４０２の中の最初のバーストとして伝送されるＵＬ−ＭＡＰ４１６は、様々なユーザに関するＵＬバーストの位置についての情報を含むことが可能である。ＵＬサブフレーム４０４は、図４Ａに示される、さらなる制御情報を含むことが可能である。ＵＬサブフレーム４０４は、ＤＬハイブリッド自動再送要求肯定応答（ｈｙｂｒｉｄ  ａｕｔｏｍａｔｉｃ  ｒｅｐｅａｔ  ｒｅｑｕｅｓｔ  ａｃｋｎｏｗｌｅｄｇｅ：ＨＡＲＱ  ＡＣＫ）をフィードバックするように移動局（ＭＳ）に割り当てられたＵＬ  ＡＣＫ４１８、および／またはチャネル品質指標チャネル（ＣＱＩＣＨ）上でチャネル状態情報をフィードバックするようにＭＳに割り当てられたＵＬ  ＣＱＩＣＨ４２０を含むことが可能である。さらに、ＵＬサブフレーム４０４は、ＵＬレンジングサブチャネル４２２を含むことが可能である。ＵＬレンジングサブチャネル４２２は、閉ループ時間調整、周波数調整、および電力調整、ならびに帯域幅要求を実行するようにＭＳに割り当てられることが可能である。プリアンブル４０８、ＦＣＨ４１０、ＤＬ−ＭＡＰ４１４、およびＵＬ−ＭＡＰ４１６は全体で、受信機３０４が受信された信号を正しく復調することを可能にする情報を伝送することが可能である。
【００６０】
ＯＦＤＭＡの場合、ＤＬの伝送、およびＵＬの伝送に関して様々な「モード」が使用され得る。或るモードが使用される時間領域内の区域は、一般に、ゾーンと呼ばれる。１つのタイプのゾーンは、ＤＬ−ＰＵＳＣ（ダウンリンクサブチャネル部分使用）と呼ばれ、そのゾーンに利用可能なすべてのサブチャネルを使用するわけではない可能性がある（すなわち、ＤＬ−ＰＵＳＣゾーンは、サブチャネルの或る特定のグループだけを使用する可能性がある）。３つまでのセグメントに割り当てられることが可能な、合計で６つのサブチャネルグループが存在することが可能である。このため、或るセグメントは、１つから６つまでのサブチャネルグループを含み得る（例えば、セグメント０が、３つのサブチャネルグループを含み、セグメント１が、２つのサブチャネルグループを含み、セグメント２が、１つのサブチャネルグループを含む）。別のタイプのゾーンは、ＤＬ−ＦＵＳＣ（ダウンリンクサブチャネル全使用）と呼ばれる。ＤＬ−ＰＵＳＣとは異なり、ＤＬ−ＦＵＳＣは、全くセグメントを使用しないが、完全な周波数範囲にわたってすべてのバーストを分散させることができる。
【００６１】
縮小された隣接基地局セットを使用する例示的な位置によって支援されたスキャンまたはハンドオーバ
移動機能をサポートする基地局が、ネットワークエントリまたはハンドオーバを求める潜在的な移動局（ＭＳ）に、ＷｉＭＡＸネットワークを識別し、隣接基地局（ＢＳ）の特性を定義する隣接基地局公示（ＭＯＢ＿ＮＢＲ−ＡＤＶ）メッセージを定期的に送信する。ＭＯＢ＿ＮＢＲ−ＡＤＶメッセージは、通常、隣接ＢＳの数、および各隣接ＢＳに関する詳細な情報を含む。ＭＳは、この情報を使用して、ネットワークエントリのための潜在的なサービングＢＳ、潜在的なハンドオーバのための候補隣接ＢＳ、または実際のハンドオーバのための隣接ＢＳを決定することができる。ＩＥＥＥ８０２．１６ｅにおける２５５までの隣接ＢＳに関する情報を有して、ＭＯＢ＿ＮＢＲ−ＡＤＶメッセージは、相当に大きいことが可能であり、ＭＳは、このメッセージの中で指定された隣接ＢＳの中から適切なＢＳ候補を見出そうとして多大な処理を実行して、ネットワークエントリ中、スキャン中、またはハンドオーバ中に相当な時間を費やす可能性がある。
【００６２】
したがって、ＭＯＢ＿ＮＢＲ−ＡＤＶメッセージのサイズを縮小する、または少なくとも、ＭＳが処理するＭＯＢ＿ＮＢＲ−ＡＤＶメッセージの部分を縮小することが望ましい可能性がある。本開示のいくつかの実施形態は、ＭＳの位置、および隣接ＢＳの位置を利用して、これらの目的を達する。
【００６３】
図５は、ＭＳから見た、ＭＳがスキャンする、またはハンドオーバする１つまたは複数の隣接ＢＳ候補を、縮小された隣接基地局セットに従って決定するための例示的な動作５００の流れ図である。動作５００は、５０２で、ＭＳの位置を特定することから始まることが可能である。この位置は、現在の位置であることが可能であり、あるいはＭＳの速度および方向が知られている場合、この位置は、いくつかの実施形態に関して、そのような速度ベクトルおよび現在の位置に基づく将来の位置であってもよい。
【００６４】
緯度と経度でＭＳの位置を記述しようとして、この位置は、ＭＳ自体（ＧＰＳ能力を有するＭＳの場合）によってグローバルポジショニングシステム（ＧＰＳ）を使用して特定されることが可能である。他の実施形態に関して、ＭＳは、外部デバイス（例えば、車両ナビゲーションシステム、ハンドヘルドＧＰＳデバイス、またはＧＰＳソフトウェアを実行するラップトップコンピュータ）と通信して、ＭＳの位置を特定することができる。ＭＳと外部デバイスの間の通信は、ケーブルを介して実行されても、無線で（ＯＴＡ）実行されてもよい。ＧＰＳデバイスは、測定時刻、およびその他の要因に依存して、商用グレード（軍用グレードではなく）の場合、約３メートルから約１００メートルまでに及ぶ不確実性を有するため、ＭＳの位置は、いくつかの実施形態に関して、そのＭＳの位置に関するＧＰＳ不確実性および／または測定時刻を含むことが可能である。
【００６５】
５０４で、図６Ａに示されるとおり、ＭＳ６０６は、ＭＳの位置を示す信号６２０を送信することが可能である。この信号は、例えば、ＭＳの位置を表すメッセージまたはコードを含むことが可能である。この信号６２０は、ネットワークエントリ中、およびネットワーク初期化中にＭＳからＢＳ１０４に送信されることが可能である。図６Ａにおいて、例えば、ＭＳ６０６は、ＢＳ１０４に送信される、北緯２９度４８分、西経９５度２４分という位置を現在、有する。前述したとおり、このＭＳ位置は、ＧＰＳ不確実性、測定時刻、ＭＳの移動速度、および／または移動の方向も含むことが可能である。
【００６６】
５０６で、図６Ｂに示されるとおり、ＭＳ６０６は、知られている隣接ＢＳのスーパーセットから、ＭＳの位置に基づいて選択された１つまたは複数の隣接ＢＳ候補についての情報を備えるメッセージ６３０を受信することが可能である。メッセージ６３０は、ＭＯＢ＿ＮＢＲ−ＡＤＶメッセージであることが可能であり、一部の実施形態に関して、隣接ＢＳ候補のそれぞれに関する、ＧＰＳ座標などの位置情報を有することが可能である。この縮小された隣接基地局セットでは、ＭＳは、複数の隣接ＢＳのすべてに関する情報を処理する必要はなく、縮小された数の隣接ＢＳ候補に関する情報を処理すればよく、処理時間が節約される。
【００６７】
５０８で、ＭＳは、ＭＳの現在の位置、または将来の位置とＢＳ候補のそれぞれに関する位置との間の距離に基づいて、隣接ＢＳ候補に優先順位を付けることが可能である。例えば、ＭＳの位置により近い隣接ＢＳ候補は、ＭＳの位置からより離れている候補と比べて、スキャンまたはハンドオーバに関して、より高い優先順位を有することが可能である。ＭＳは、隣接ＢＳ候補の優先順位付けされたリストを、後のアクセスまたは更新のためにメモリの中に格納することが可能である。
【００６８】
オプションとして、５１０で、ＭＳは、ネットワークエントリまたは潜在的なハンドオーバに関して優先順位付けされた隣接ＢＳ候補の少なくとも１つを探してスキャンすることが可能である。例えば、ＭＳは、たいてい、ＭＳの現在の位置、または将来の位置に最も近い隣接ＢＳであることが可能な、最高の優先順位を有するＢＳ候補に登録しようと試みることが可能である。このようにして、ネットワークエントリ中に費やされる時間が短縮されることが可能である。別の例として、ＭＳは、ハンドオーバのターゲットとしての隣接ＢＳの適切さを監視しようとして、優先順位付けされたリストに従って最も近い隣接ＢＳの１つまたは複数を探してスキャンすることが可能である。
【００６９】
また、オプションとして５１２で、ＭＳは、ＭＳの位置、および優先順位付けされた隣接ＢＳ候補の１つの候補の位置に基づいて、ハンドオーバをトリガすることが可能である。位置情報に基づいてハンドオーバをトリガするための例示的な方法が、後段でより詳細に説明される。
【００７０】
図７は、ＢＳから見た、ＭＳの受信された位置に基づいて、位置情報を有する１つまたは複数の隣接ＢＳ候補の縮小されたセットを公示するための例示的な動作７００の流れ図である。動作７００は、図６Ａに示されるとおり、７０２で、ＭＳ６０６の位置を示す信号６２０を受信することから始まることが可能である。
【００７１】
７０４で、ＢＳ１０４が、ＭＳの位置に基づいて、複数の隣接ＢＳから１つまたは複数の隣接ＢＳ候補を選択することが可能である。例えば、ＢＳは、ＷｉＭＡＸネットワークバックボーンから複数の隣接ＢＳについて知ることが可能であり、さらに複数の隣接ＢＳのそれぞれについての情報を、それらの隣接ＢＳの位置も含めて、有することが可能である。ＢＳは、ＭＳから受信された位置に近い位置を有する隣接ＢＳ候補を選択することが可能である。一部の実施形態に関して、ＢＳは、その複数の隣接ＢＳのそれぞれの位置とＭＳの位置の間の距離を計算することが可能であり、隣接ＢＳ候補を選択しようとして、或るしきい値未満のＭＳの位置までの距離を有する隣接ＢＳを選択することが可能である。このようにして、隣接ＢＳの数は、隣接ＢＳ候補が知られている隣接ＢＳのサブセットを表すように減らされることが可能である。
【００７２】
７０６で、図６Ｂに示されるとおり、ＢＳ１０４は、ＭＳの位置に基づいて選択された１つまたは複数の隣接ＢＳ候補についての情報を備えるメッセージ６３０をＭＳ６０６に送信することが可能である。メッセージ６３０は、ＭＯＢ＿ＮＢＲ−ＡＤＶメッセージであり、さらに、一部の実施形態に関して、隣接ＢＳ候補のそれぞれに関する、ＧＰＳ座標などの位置情報を有することが可能である。
【００７３】
位置情報に基づいてハンドオーバをトリガするための例示的な技術
図５の５１２に関して前述したとおり、ＭＳは、ＭＳの位置、および優先順位付けされた隣接ＢＳ候補の１つの候補の位置に基づいて、ハンドオーバをトリガすることが可能である。例えば、ＭＳは、ＭＳの位置とサービングＢＳの位置の間の距離（ＤMS-sBS）が、或るしきい値だけ、ＭＳの位置とターゲットＢＳの（すなわち、優先順位付けされた隣接ＢＳ候補の１つ）の位置の間の距離（ＤMS-tBS）より大きくなると（ＤMS-sBS−ＤMS-tBS＞ＴＨＲ）、ハンドオーバを試みることを決定することが可能である。別の例として、ＭＳは、ＭＳ移動の方向が候補ターゲットＢＳに向かっている場合、優先順位付けされた候補ターゲットＢＳへのハンドオーバを試みることを決定することが可能である。一部の実施形態に関して、ＭＳは、ＭＳ移動の方向とＭＳまでの距離のいずれか、または両方が、サービングＢＳより候補ターゲットＢＳを有利にする場合、候補ターゲットＢＳへのハンドオーバを試みることを決定することが可能である。
【００７４】
図８Ａは、移動局６０６がサービング基地局（ｓＢＳ）１０４sを相手にデータを交換することを示す。サービングＢＳ１０４sの位置は、北緯３２度４９分１２秒、西経１１７度７分４８秒であることが知られている。この事例において、ＭＳ６０６の現在の位置が、北緯３２度４９分９秒、西経１１７度４分１秒であると特定されることが可能である（例えば、ＭＳ６０６、またはＭＳの外部のデバイスによって）。これら２つの座標セットを知ることによって、ＭＳ６０６は、ＭＳとサービングＢＳの間の距離（ＤMS-sBS）を計算することができる。
【００７５】
一部の実施形態に関して、基地局の座標は、正確に知られていることが可能である一方で、他の実施形態に関して、基地局の座標は、使用されるデバイスに依存して約３メートルから約１００メートルまでに及ぶ不確実性を有する、商用グレードのＧＰＳデバイスによって特定されることが可能である。移動局に関するすべての座標は、３メートルから１００メートルまでに及ぶ不確実性を有することが可能である。本開示で与えられる例示的な座標は、例示を目的としており、隣接基地局間の、またはＭＳと、そのＭＳにネットワークカバレッジを提供するサービングＢＳの間の実際的な距離を正確に反映してはいない可能性がある。
【００７６】
さらに、ＭＳ６０６は、潜在的なターゲット基地局（ｔＢＳ）１０４tの位置についての情報を獲得することが可能である。一部の実施形態に関して、このｔＢＳ位置情報は、前述したとおり、ｓＢＳ１０４sから受信される縮小された隣接基地局セットの中でＭＳ６０６に供給されることが可能である。ターゲットＢＳ１０４tの位置は、北緯３２度４９分１２秒、西経１１６度５８分１２秒であると明らかにされ、ＭＳ６０６は、ＭＳとターゲットＢＳの間の距離（ＤMS-tBS）を計算することができる。図８Ａにおいて、ＤMS-sBSは、ＤMS-tBSより小さく、したがって、ＭＳは、サービングＢＳ１０４sからターゲットＢＳ１０４tへのハンドオーバをトリガしない。
【００７７】
図８Ｂにおいて、ＭＳ６０６は、ＭＳ６０６によって、またはＭＳの外部のデバイスによって北緯３２度４９分１９秒、１１７度０分３７秒であると特定された新たな位置に移動している。ＭＳ６０６は、ＭＳの新たな位置を使用してＤMS-sBSおよびＤMS-tBSを計算し、ＤMS-sBS−ＤMS-tBSがしきい値（ＴＨＲ）より大きいと判定して、ターゲットＢＳ１０４tへのハンドオーバをトリガすることが可能である。しきい値は、ＭＳ６０６上に格納された所定の値であることが可能であり、２つのＢＳにほぼ等距離で移動している移動局が、任意の所与の時点でＭＳが現在、いずれのＢＳにより近いかに依存して、その２つのＢＳの間で繰り返し、不必要にハンドオーバを行うことを強いられないように、ハンドオーバトリガ判定にいくらかのヒステリシスをもたらすことを意図している。さらに、最大推定距離および最小推定距離を計算するのに位置の不確実性を考慮に入れることにより、ヒステリシスを支援し、不必要なハンドオーバを防止するようにさらなる度合いのナンバパディングがもたらされることが可能である。
【００７８】
このようにして位置情報を使用してハンドオーバをトリガすることは、より多くの情報をもとにハンドオーバ判定を行おうとして、他のハンドオーバトリガ方法と組み合わされてもよい。他のハンドオーバトリガ方法には、サービングＢＳとターゲットＢＳの間で搬送波対干渉雑音比（ｃａｒｒｉｅｒ−ｔｏ−ｉｎｔｅｒｆｅｒｅｎｃｅ−ｐｌｕｓ−ｎｏｉｓｅ  ｒａｔｉｏ：ＣＩＮＲ）、受信された信号強度指標（ｒｅｃｅｉｖｅｄ  ｓｉｇｎａｌ  ｓｔｒｅｎｇｔｈ  ｉｎｄｉｃａｔｏｒ：ＲＳＳＩ）、または往復遅延（ｒｏｕｎｄ  ｔｒｉｏ  ｄｅｌａｙ：ＲＴＤ）を比較することが含まれることが可能である。他のこれらのハンドオーバトリガ方法は、ＧＰＳ測定が利用できない場合、または位置情報を使用してハンドオーバをトリガするのに十分なだけ正確でない場合に、使用されることが可能である。ＢＳは、前述した、位置によって支援されたハンドオーバトリガ方法を含むハンドオーバトリガ方法の１つ、または組合せを使用するようにＭＳに指示することが可能である。
【００７９】
位置情報に基づく例示的な隣接基地局リスト優先順位付け
隣接ＢＳに関する位置情報をＭＳに供給するため、ならびにネットワークエントリ手順、スキャン手順、およびハンドオーバ手順のためにＭＳの位置と併せてそのような位置情報を使用するための他の方法が存在する。例えば、図９は、本開示のいくつかの実施形態による、位置情報を有する複数の隣接基地局を公示するための例示的な動作９００の流れ図である。動作９００は、９０２で、複数の隣接ＢＳについての情報を獲得することから始まることが可能であり、この情報は、複数の隣接ＢＳのそれぞれに関する位置を含むことが可能である。そのような情報は、いくつかのＢＳを一緒に接続するネットワークバックボーンを介して、ネットワークサービスプロバイダ（ｎｅｔｗｏｒｋ  ｓｅｒｖｉｃｅ  ｐｒｏｖｉｄｅｒ：ＮＳＰ）／ネットワークアクセスプロバイダ（ｎｅｔｗｏｒｋ  ａｃｃｅｓｓ  ｐｒｏｖｉｄｅｒ：ＮＡＰ）によってＢＳに供給されることが可能である。
【００８０】
９０４で、ＢＳは、複数の隣接ＢＳのそれぞれに関する位置を含む、この情報を備えるメッセージを送信することが可能である。これらのメッセージは、隣接基地局公示（ＭＯＢ＿ＮＢＲ−ＡＤＶ）メッセージであることが可能であり、さらに位置情報は、複数の隣接ＢＳのそれぞれに関するＧＰＳ座標であることが可能である。これらのメッセージは、定期的にブロードキャストされることが可能である。
【００８１】
オプションとして、９０６で、複数の隣接ＢＳについての情報は、新たな基地局がＷｉＭＡＸネットワークに追加されるといつでも、または既存のＢＳが取り除かれるといつでもといった具合に、更新されることが可能である。ＮＳＰ／ＮＡＰが、バックボーンを介して、更新された情報についてＢＳに通知することが可能である。ＢＳは、後の定期的ブロードキャスト中に、その更新された情報を備える新たなメッセージを送信することが可能である。
【００８２】
図１０は、本開示のいくつかの実施形態による、ＢＳ１０４が、隣接ＢＳに関する位置情報を有するＭＯＢ＿ＮＢＲ−ＡＤＶメッセージ１０００をＭＳ６０６に送信することを示す。ＭＳの位置を示す信号を受信するＢＳとは対照的に、図１０のＢＳ１０４は、ＭＳ６０６の位置を知らない可能性がある。したがって、ＢＳ１０４は、前述したＭＳの位置に基づいて、隣接ＢＳ候補の縮小されたセットを選択することができない可能性があり、逆に、ＢＳ１０４は、知られている複数の隣接ＢＳのすべてに関する位置情報を送信することが可能である。
【００８３】
一部の実施形態に関して、隣接基地局に関する、ＧＰＳ座標などの位置情報が、ＭＳ上のデータベースの中に格納されることが可能である。このデータベースは、ネットワークサービスプロバイダまたはＭＳ製造業者によって提供されることが可能であり、デバイス活性化中、または後続の動作中にネットワークによってＭＳに伝送されることが可能であり、あるいは通常の動作中にＭＳによって学習されることが可能である。さらに、このデータベースは、ネットワークエントリ動作中、およびネットワーク初期化動作中、または後続の動作中に更新されることが可能である。
【００８４】
図１１は、位置情報を含むＢＳ情報の例示的なテーブル１１００を示し、テーブル１１００の各行は、データベースの中にレコードとして格納されることが可能である。テーブル１１００の列は、ＧＰＳ座標セクション１１０２およびＷｉＭＡＸセクション１１１２にグループ化されることが可能である。ＧＰＳ座標セクション１１０２は、レコードの中の基地局の緯度と経度をそれぞれ与える緯度列１１０４と経度列１１０６を含むことが可能である。ＷｉＭＡＸセクション１１１２は、チャネル番号列１１１４、ネットワークアクセスプロバイダ（ＮＡＰ）列１１１６、ネットワークサービスプロバイダ（ＮＳＰ）列９１６、および／または基地局識別番号（ＢＳＩＤ）（図示せず）を含むことが可能である。
【００８５】
また、テーブル１１００の中の各レコードは、図示されるとおり、タイムスタンプに関する最新更新時刻列１１２０を含むことも可能である。ＷｉＭＡＸネットワークのネットワークトポロジおよびカバレッジは、時間とともに変化することが可能であるため、タイムスタンプは、どれだけ新しくレコードが更新されたかを示すことが可能である。このタイムスタンプは、後段でより詳細に説明されるとおり、データベースからの隣接ＢＳのリストに優先順位を付ける際に考慮に入れられることが可能である。さらに、このタイムスタンプは、ＭＳのメモリを節約しようとして、データベースから、より古いエントリを選択して、削除するのに使用されることも可能である。
【００８６】
ＭＳ６０６の現在の位置、または将来の位置を知ることにより、ＭＳ６０６は、テーブル１１００の中の行と同様の情報を有するレコードを有するデータベースにアクセスすることができる。ＭＳ６０６は、ＭＳ６０６の現在の位置に近いＧＰＳ座標を有する１つまたは複数のレコードを選択することが可能である。ＭＳ上のロジックが、距離計算アルゴリズムを使用して、例えば、ｎが所定の整数である、最も近いｎ個の基地局を選んで、あるいは或るしきい値距離より近い基地局のすべてを選んで、この選択を実行することが可能である。データベースの中で直ちに利用可能なＢＳ情報を有することにより、ＭＳは、ＭＯＢ＿ＮＢＲ−ＡＤＶメッセージを待つ必要なしに、初期登録またはセッション復元のためであれ、あるいは潜在的なハンドオーバのためであれ、ネットワークサービスのためにＢＳを迅速に獲得することができる。
【００８７】
データベースの中のエントリが学習されると、データベースは、新たなＢＳの追加などの、ネットワークトポロジの変化に適合されることが可能である。さらに、ユーザがＭＳを動作させるカバレッジエリアと関係するエントリに限って、格納されて、その結果、全地域に関するＢＳ情報レコードを有するデータベースと比べて、より少ないメモリしか使用されないことが可能である。これらの学習されたエントリは、ユーザが、これらの区域内でＭＳを使用しつづけるにつれ、時とともに改良されることが可能である。
【００８８】
図１２は、移動局１２００が、自宅１２０２などの第１の位置から、オフィス１２０４などの第２の位置に移動することを示す。２つの位置１２０２、１２０４の間でたどられる経路は、ハイウェイ１２０６を含むことが可能であり、さらに、ＭＳ１２００が移動するにつれ、いくつかの基地局１０４がＭＳ１２００にネットワークサービスを提供することが可能である。ハイウェイ１２０６に沿って移動することは、ＭＳ１２００にとって頻繁にたどる経路であるため、ＭＳは、ＭＳ１２００の経路に沿ってＭＳ１２００にネットワークサービスを提供するＢＳ１０４のそれぞれに関するＢＳ情報（例えば、ＧＰＳ座標）を学習して、この情報をデータベースの中に格納することができる。ＭＳ１２００の現在の位置を知ることにより、ＭＳ１２００は、このデータベースにアクセスすることができ、前述したとおり、ＤMS-sBS−ＤMS-tBS＞ＴＨＲになると、別のＢＳへのハンドオーバ（例えば、サービングＢＳ１０４sから第１のターゲットＢＳ１０４t1への）をトリガすることができることが可能である。
【００８９】
さらに、移動するためのインフラストラクチャのほとんど（例えば、ハイウェイ、地下鉄、および鉄道）は、予測可能な経路（例えば、相当な距離に関して比較的直線である経路）に沿って延びているため、移動局は、移動局の現在の位置、移動局の現在の速度、および移動局の現在の移動方向に基づいて、将来の位置を予測できることが可能である。将来の位置、および隣接ＢＳに関する位置情報を知ることにより、ＭＳは、いずれの隣接ＢＳをスキャンすべきか、およびいつハンドオーバを実行すべきかを決定することができる。例えば、ＭＳ１２００は、ＭＳがハイウェイ１２０６に沿って移動するにつれ、ターゲットＢＳ１（１０４t）、ターゲットＢＳ２（１０４t2）、ターゲットＢＳ３（１０４t3）にどこでハンドオーバすべきかを知ることができる。これらのハンドオーバは、縮小されたスキャンを用いて、ＭＯＢ＿ＮＢＲ−ＡＤＶメッセージを待つことなしに、またはＭＯＢ＿ＮＢＲ−ＡＤＶメッセージを処理することなしに、実行されることが可能であり、その結果、より高い帯域幅使用効率のために代わりに使用され得る処理時間が節約される。縮小されたスキャンは、潜在的なハンドオーバのための隣接ＢＳ候補の縮小されたセットを有する、まだ知られていないＢＳを含む潜在的なハンドオーバ候補を探してスキャンすることを備えることが可能である。
【００９０】
図１３は、ＭＳから見た、ＭＳの位置、および複数の隣接ＢＳについての獲得された位置情報に基づいて、ＭＳがスキャンする、またはハンドオーバする隣接基地局候補の優先順位を決定するための例示的な動作１３００の流れ図である。動作１３００は、１３０２で、複数の隣接ＢＳについての情報を、各隣接ＢＳに関する位置も含めて、獲得することから始まることが可能である。そのような位置情報は、前述したとおり、ＭＯＢ＿ＮＢＲ−ＡＤＶメッセージ１０００から、またはネットワークサービスプロバイダもしくはＭＳ製造業者によって提供されるデータベースから獲得される、デバイス活性化中、もしくは後続の動作中にネットワークによってＭＳに送信される、あるいは通常の動作中にＭＳによって学習されることが可能である。
【００９１】
１３０４で、ＭＳの位置が特定されることが可能である（ＭＳの内部または外部の手段によって）。この位置は、現在の位置であることが可能であり、あるいはＭＳの速度および方向が知られている場合、この位置は、前述したとおり、いくつかの実施形態に関するそのような速度ベクトルおよび現在の位置に基づく将来の位置であることが可能である。
【００９２】
１３０６で、図５の５０８に関連して前述したとおり、ＭＳは、ＭＳの現在の位置、または将来の位置とＢＳ候補のそれぞれに関する位置の間の距離に基づいて、隣接ＢＳ候補に優先順位を付けることが可能である。例えば、ＭＳの位置により近い隣接ＢＳ候補が、ＭＳの位置からより離れた候補と比べて、スキャンまたはハンドオーバに関して、より高い優先順位を有することが可能である。一部の実施形態に関して、ＭＳは、ＭＳ移動の方向、および隣接ＢＳ候補までの距離に基づいて、隣接ＢＳ候補に優先順位を付けることが可能である。ＭＳは、隣接ＢＳ候補の優先順位付けされたリストを、後のアクセスまたは更新のためにメモリの中に格納することが可能である。
【００９３】
オプションとして、１３０８で、図５の５１０に関して前述したとおり、ＭＳは、ネットワークエントリまたは潜在的なハンドオーバのための優先順位付けされた隣接ＢＳ候補の少なくとも１つを探してスキャンすることが可能である。例えば、ＭＳは、たいてい、ＭＳの現在の位置、または将来の位置に最も近い隣接ＢＳであることが可能な、最高の優先順位を有するＢＳ候補に登録しようと試みることが可能である。このようにして、ネットワークエントリ中に費やされる時間が短縮されることが可能である。別の例として、ＭＳは、ハンドオーバのターゲットとしての隣接ＢＳの適切さを監視しようとして、優先順位付けされたリストに従って最も近い隣接ＢＳの１つまたは複数を探してスキャンすることが可能である。
【００９４】
やはりオプションとして、１３１０で、図５の５１２に関して前述したとおり、ＭＳは、ＭＳの位置、および優先順位付けされた隣接ＢＳ候補の１つの候補の位置に基づいて、ハンドオーバをトリガすることが可能である。例えば、ＭＳは、ＭＳの位置とサービングＢＳの位置の間の距離（ＤMS-sBS）が、或るしきい値だけ、ＭＳの位置とターゲットＢＳの（すなわち、優先順位付けされた隣接ＢＳ候補の１つの候補）の位置の間の距離（ＤMS-tBS）より大きくなると（ＤMS-sBS−ＤMS-tBS＞ＴＨＲ）、ハンドオーバを試みることを決定することが可能である。別の例として、ＭＳは、ＭＳ移動の方向が候補ターゲットＢＳに向かっている場合、優先順位付けされた候補ターゲットＢＳへのハンドオーバを試みることを決定することが可能である。一部の実施形態に関して、ＭＳは、ＭＳ移動の方向とＭＳまでの距離のいずれか、または両方が、候補ターゲットＢＳを有利にする場合、候補ターゲットＢＳへのハンドオーバを試みることを決定することが可能である。
【００９５】
前述した方法の様々な動作は、図に示される手段プラス機能ブロックに対応する様々なハードウェア構成要素および／またはソフトウェア構成要素および／またはモジュールによって実行されることが可能である。全体的に、対応する相手側の手段プラス機能図を有する図に示された方法が存在する場合、動作ブロックは、同様の参照符号が付けられた手段プラス機能ブロックに対応する。例えば、図５に示されるブロック５０２〜５１２は、図５Ａに示される手段プラス機能ブロック５０２Ａ〜５１２Ａに対応し、図７に示されるブロック７０２〜７０６は、図７Ａに示される手段プラス機能ブロック７０２Ａ〜７０６Ａに対応する。
【００９６】
本明細書で使用される「決定すること」という用語は、多種多様なアクションを包含する。例えば、「決定すること」には、計算すること、算出すること、処理すること、導き出すこと、調査すること、ルックアップすること（例えば、テーブル、データベース、または別のデータ構造の中でルックアップすること）、確認することなどが含まれることが可能である。また、「確認すること」には、受け取ること（例えば、情報を受け取ること）、アクセスすること（例えば、メモリの中のデータにアクセスすること）などが含まれることが可能である。また、「決定すること」には、解決すること、選択すること、選ぶこと、確立することなどが含まれることも可能である。
【００９７】
情報および信号は、様々な異なる技術および技法のいずれかを使用して表されることが可能である。例えば、以上の説明の全体にわたって言及されている可能性があるデータ、命令、コマンド、情報、信号などは、電圧、電流、電磁波、磁界または磁気粒子、光の場または粒子、または以上の任意の組合せによって表現されることが可能である。
【００９８】
本明細書で説明される技術は、直交多重化スキームに基づく通信システムを含め、様々な通信システムに関して使用されることが可能である。そのような通信システムの例には、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）システム、シングルキャリア周波数分割多元接続（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ：ＳＣ−ＦＤＭＡ）システムなどが含まれる。ＯＦＤＭＡシステムは、全体的なシステム帯域幅を複数の直交する副搬送波に分割する変調技術である直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘｉｎｇ：ＯＦＤＭ）を利用する。これらの副搬送波は、トーン、ビンなどとも呼ばれる。ＯＦＤＭの場合、各副搬送波は、データで独立に変調されることが可能である。ＳＣ−ＦＤＭＡシステムは、インターリーブされたＦＤＭＡ（ｉｎｔｅｒｌｅａｖｅｄ  ＦＤＭＡ：ＩＦＤＭＡ）を利用して、システム帯域幅全体にわたって分布する副搬送波上で伝送する、局所化されたＦＤＭＡ（ｌｏｃａｌｉｚｅｄ  ＦＤＭＡ：ＬＦＤＭＡ）を利用して、隣接する副搬送波のブロック上で伝送する、または拡張されたＦＤＭＡ（ｅｎｈａｎｃｅｄ  ＦＤＭＡ：ＥＦＤＭＡ）を利用して、隣接する副搬送波の複数のブロック上で伝送することが可能である。一般に、変調シンボルは、ＯＦＤＭの場合、周波数領域で送信され、ＳＣ−ＦＤＭＡの場合、時間領域で送信される。
【００９９】
本開示に関連して説明される様々な例示的な論理ブロック、モジュール、および回路は、汎用プロセッサ、ディジタル信号プロセッサ（ｄｉｇｉｔａｌ  ｓｉｇｎａｌ  ｐｒｏｃｅｓｓｏｒ：ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ信号（ｆｉｅｌｄ  ｐｒｏｇｒａｍｍａｂｌｅ  ｇａｔｅ  ａｒｒａｙ  ｓｉｇｎａｌ：ＦＰＧＡ）もしくは他のプログラマブル論理デバイス（ｐｒｏｇｒａｍｍａｂｌｅ  ｄｅｖｉｃｅ：ＰＬＤ）、ディスクリートのゲートもしくはトランジスタロジック、ディスクリートのハードウェア構成要素、あるいは本明細書で説明される機能を実行するように設計された以上の任意の組合せを用いて実施される、または実行されることが可能である。汎用プロセッサは、マイクロプロセッサであることが可能であるが、代替として、プロセッサは、任意の市販のプロセッサ、コントローラ、マイクロコントローラ、または状態マシンであってもよい。また、プロセッサは、コンピューティングデバイスの組合せとして、例えば、ＤＳＰとマイクロプロセッサの組合せ、複数のマイクロプロセッサ、ＤＳＰコアと連携した１つまたは複数のマイクロプロセッサ、または他の任意のそのような構成として実施されることも可能である。
【０１００】
本開示に関連して説明される方法またはアルゴリズムのステップは、ハードウェアで直接に、１つまたは複数のプロセッサによって実行されるソフトウェアモジュールで、またはこの２つの組合せで実施されることが可能である。ソフトウェアモジュールは、当技術分野で知られている任意の形態の記憶媒体の中に存在することが可能である。使用されることが可能な記憶媒体のいくつかの例には、ランダムアクセスメモリ（ｒａｎｄｏｍ  ａｃｃｅｓｓ  ｍｅｍｏｒｙ：ＲＡＭ）、読取り専用メモリ（ｒｅａｄ  ｏｎｌｙ  ｍｅｍｏｒｙ：ＲＯＭ）、フラッシュメモリ、ＥＰＲＯＭメモリ、ＥＥＰＲＯＭメモリ、レジスタ、ハードディスク、リムーバブルなディスク、ＣＤ−ＲＯＭなどが含まれる。ソフトウェアモジュールは、単一の命令を備えることも、多くの命令を備えることも可能であり、異なるいくつかのコードセグメントにわたって、異なるプログラムの間で、さらに複数の記憶媒体にまたがって分散されることが可能である。記憶媒体は、プロセッサが、記憶媒体から情報を読み取ることができ、さらに記憶媒体に情報を書き込むことができるように、プロセッサに結合されることが可能である。代替として、記憶媒体は、プロセッサと一体化していてもよい。
【０１０１】
本明細書で開示される方法は、説明される方法を実現するための１つまたは複数のステップまたはアクションを備える。これらの方法ステップおよび／または方法アクションは、特許請求の範囲を逸脱することなく、互いに入れ替えられてもよい。つまり、ステップまたはアクションの特定の順序が指定されない限り、特定のステップおよび／またはアクションの順序および／または使用は、特許請求の範囲を逸脱することなく、変更されることが可能である。
【０１０２】
説明される機能は、ハードウェアで、ソフトウェアで、ファームウェアで、または以上の任意の組合せで実施されることが可能である。ソフトウェアで実施される場合、これらの機能は、１つまたは複数の命令としてコンピュータ可読媒体上に格納されることが可能である。記憶媒体は、コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令またはデータ構造の形態で所望されるプログラムコードを伝送する、または格納するのに使用されることが可能であり、コンピュータによってアクセスされ得る他の任意の媒体を備えることが可能である。本明細書で使用されるディスク（ｄｉｓｋ）およびディスク（ｄｉｓｃ）には、コンパクトディスク（ｃｏｍｐａｃｔ  ｄｉｓｃ：ＣＤ）、レーザディスク（登録商標）、光ディスク、ディジタルバーサタイルディスク（ｄｉｇｉｔａｌ  ｖｅｒｓａｔｉｌｅ  ｄｉｓｃ：ＤＶＤ）、フロッピー（登録商標）ディスク、およびＢｌｕ−ｒａｙ（登録商標）ディスクが含まれ、ただし、ディスク（ｄｉｓｋ）は、通常、磁気的にデータを再生するのに対して、ディスク（ｄｉｓｃ）は、レーザを用いて光学的にデータを再生する。
【０１０３】
また、ソフトウェアまたは命令は、伝送媒体を介して伝送されることも可能である。例えば、ソフトウェアが、同軸ケーブル、光ファイバケーブル、より対線、ディジタル加入者線（ｄｉｇｉｔａｌ  ｓｕｂｓｃｒｉｂｅｒ  ｌｉｎｅ：ＤＳＬ）、あるいは赤外線、無線、およびマイクロ波などの無線技術を使用してウェブサイト、サーバ、または他の遠隔ソースから伝送される場合、その同軸ケーブル、光ファイバケーブル、より対線、ＤＳＬ、あるいは赤外線、無線、およびマイクロ波などの無線技術が、伝送媒体の定義に含められる。
【０１０４】
さらに、本明細書で説明される方法および技術を実行するためのモジュールおよび／または他の適切な手段は、適宜、ユーザ端末装置および／または基地局によってダウンロードされる、さらに／またはそれ以外で獲得されることが可能であることを認識されたい。例えば、そのようなデバイスは、本明細書で説明される方法を実行するための手段の転送を円滑にするようにサーバに結合され得る。代替として、本明細書で説明される様々な方法は、ユーザ端末装置および／または基地局が、デバイスに記憶手段が結合される、または提供されると、様々な方法を獲得することができるように、記憶手段（例えば、ＲＡＭ、ＲＯＭ、コンパクトディスク（ＣＤ）などの物理的記憶媒体、またはフロッピー（登録商標）ディスクなど）を介して提供され得る。さらに、デバイスに本明細書で説明される方法および技術を提供するための他の任意の適切な技術が利用され得る。
【０１０５】
特許請求の範囲は、以上に説明される構成および構成要素そのものに限定されないことを理解されたい。特許請求の範囲を逸脱することなく、前述した方法および装置の構成、動作、および詳細に様々な変形、改変、および変更が行われることが可能である。
【図１】
2014116980.tif 000003
【図２】
2014116980.tif 000004
【図３】
2014116980.tif 000005
【図４Ａ】
2014116980.tif 000006
【図４Ｂ】
2014116980.tif 000007
【図５】
2014116980.tif 000008
【図５Ａ】
2014116980.tif 000009
【図６Ａ】
2014116980.tif 000010
【図６Ｂ】
2014116980.tif 000011
【図７】
2014116980.tif 000012
【図７Ａ】
2014116980.tif 000013
【図８Ａ】
2014116980.tif 000014
【図８Ｂ】
2014116980.tif 000015
【図９】
2014116980.tif 000016
【図９Ａ】
2014116980.tif 000017
【図１０】
2014116980.tif 000018
【図１１】
2014116980.tif 000019
【図１２】
2014116980.tif 000020
【図１３】
2014116980.tif 000021
【図１３Ａ】
2014116980.tif 000022
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
移動局（ＭＳ）がスキャンする、またはハンドオーバする１つまたは複数の隣接基地局（ＢＳ）候補を決定するための方法であって、
前記ＭＳの位置を示す信号を送信すること、
および複数の隣接基地局から前記ＭＳの前記位置に基づいて選択された前記１つまたは複数の隣接ＢＳ候補を備えるメッセージを受信すること
を備える方法。
【手続補正２】
【補正対象書類名】明細書
【補正対象項目名】０１０５
【補正方法】変更
【補正の内容】
【０１０５】
特許請求の範囲は、以上に説明される構成および構成要素そのものに限定されないことを理解されたい。特許請求の範囲を逸脱することなく、前述した方法および装置の構成、動作、および詳細に様々な変形、改変、および変更が行われることが可能である。
以下に、本願出願当初の特許請求の範囲に記載された発明を付記する。
［１］移動局（ＭＳ）がスキャンする、またはハンドオーバする１つまたは複数の隣接基地局（ＢＳ）候補を決定するための方法であって、前記ＭＳの位置を示す信号を送信すること、および複数の隣接基地局から前記ＭＳの前記位置に基づいて選択された前記１つまたは複数の隣接ＢＳ候補を備えるメッセージを受信することを備える方法。
［２］前記メッセージは、隣接基地局公示（ＭＯＢ＿ＮＢＲ−ＡＤＶ）メッセージを備える［１］の方法。
［３］グローバルポジショニングシステム（ＧＰＳ）を使用して前記ＭＳの前記位置を特定することをさらに備える［１］の方法。
［４］前記ＭＳの前記位置を特定することは、前記ＭＳの外部のＧＰＳデバイスと通信することを備える［３］の方法。
［５］前記位置は、前記ＭＳの速度ベクトルおよび現在の位置に基づく前記ＭＳの将来の位置である［１］の方法。
［６］前記メッセージは、選択された前記１つまたは複数の隣接ＢＳ候補のそれぞれに関する位置を備える［１］の方法。
［７］前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けることをさらに備える［６］の方法。
［８］前記優先順位付けされた隣接ＢＳ候補の少なくとも１つを探してスキャンすることをさらに備える［７］の方法。
［９］前記ＭＳの前記位置と前記優先順位付けされた隣接ＢＳ候補の１つの候補の位置の間の距離に基づいて、ハンドオーバをトリガすることをさらに備える［７］の方法。
［１０］前記ＭＳの移動方向に基づいて、または前記ＭＳの前記移動方向、および前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けることをさらに備える［６］の方法。
［１１］１つまたは複数のプロセッサによって実行可能である命令が格納されているコンピュータ可読媒体を備える、移動局（ＭＳ）がスキャンする、またはハンドオーバする１つまたは複数の隣接基地局（ＢＳ）候補を決定するためのコンピュータプログラム製品であって、前記命令は、前記ＭＳの位置を示す信号を送信するための命令、複数の隣接基地局から前記ＭＳの前記位置に基づいて選択された前記１つまたは複数の隣接ＢＳ候補を備えるメッセージを受信するための命令を備えるコンピュータプログラム製品。
［１２］前記メッセージは、隣接基地局公示（ＭＯＢ＿ＮＢＲ−ＡＤＶ）メッセージを備える［１１］のコンピュータプログラム製品。
［１３］グローバルポジショニングシステム（ＧＰＳ）を使用して前記ＭＳの前記位置を特定するための命令さらに備える［１１］のコンピュータプログラム製品。
［１４］前記ＭＳの前記位置を特定することは、前記ＭＳの外部のＧＰＳデバイスと通信することを備える［１３］のコンピュータプログラム製品。
［１５］前記位置は、前記ＭＳの速度ベクトルおよび現在の位置に基づく前記ＭＳの将来の位置である［１１］のコンピュータプログラム製品。
［１６］前記メッセージは、選択された前記１つまたは複数の隣接ＢＳ候補のそれぞれに関する位置を備える［１１］のコンピュータプログラム製品。
［１７］前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための命令をさらに備える［１６］のコンピュータプログラム製品。
［１８］前記優先順位付けされた隣接ＢＳ候補の少なくとも１つを探してスキャンするための命令をさらに備える［１７］のコンピュータプログラム製品。
［１９］前記ＭＳの前記位置と前記優先順位付けされた隣接ＢＳ候補の１つの候補の位置の間の距離に基づいて、ハンドオーバをトリガするための命令をさらに備える［１７］のコンピュータプログラム製品。
［２０］前記ＭＳの移動方向に基づいて、または前記ＭＳの前記移動方向、および前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための命令をさらに備える［１６］のコンピュータプログラム製品。
［２１］移動局（ＭＳ）がスキャンする、またはハンドオーバする１つまたは複数の隣接基地局（ＢＳ）候補を決定するための装置であって、前記ＭＳの位置を示す信号を送信するための手段、および複数の隣接基地局から前記ＭＳの前記位置に基づいて選択された前記１つまたは複数の隣接ＢＳ候補を備えるメッセージを受信するための手段を備える装置。
［２２］前記メッセージは、隣接基地局公示（ＭＯＢ＿ＮＢＲ−ＡＤＶ）メッセージを備える［２１］の装置。
［２３］グローバルポジショニングシステム（ＧＰＳ）を使用して前記ＭＳの前記位置を特定するための手段さらに備える［２１］の装置。
［２４］前記ＭＳの前記位置を特定するための前記手段は、前記ＭＳの外部のＧＰＳデバイスを備える［２３］の装置。
［２５］前記位置は、前記ＭＳの速度ベクトルおよび現在の位置に基づく前記ＭＳの将来の位置である［２１］の装置。
［２６］前記メッセージは、選択された前記１つまたは複数の隣接ＢＳ候補のそれぞれに関する位置を備える［２１］の装置。
［２７］前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための手段をさらに備える［２６］の装置。
［２８］前記優先順位付けされた隣接ＢＳ候補の少なくとも１つを探してスキャンするための手段をさらに備える［２７］の装置。
［２９］前記ＭＳの前記位置と前記優先順位付けされた隣接ＢＳ候補の１つの候補の位置の間の距離に基づいて、ハンドオーバをトリガするための手段をさらに備える［２７］の装置。
［３０］前記ＭＳの移動方向に基づいて、または前記ＭＳの前記移動方向、および前記ＢＳ候補のそれぞれに関する前記位置と前記ＭＳの前記位置の間の距離に基づいて、スキャンされるべき、またはハンドオーバされるべき前記１つまたは複数の隣接ＢＳ候補に優先順位を付けるための手段をさらに備える［２６］の装置。
［３１］移動デバイスの位置を示す信号を送信するように構成された送信機、および複数の隣接基地局から前記移動デバイスの前記位置に基づいて選択された１つまたは複数の隣接基地局（ＢＳ）候補を備えるメッセージを受信するように構成された受信機を備える移動デバイス。
［３２］前記メッセージは、隣接基地局公示（ＭＯＢ＿ＮＢＲ−ＡＤＶ）メッセージを備える［３１］の移動デバイス。
［３３］グローバルポジショニングシステム（ＧＰＳ）を使用して前記移動デバイスの前記位置を特定するように構成されたロジックをさらに備える［３１］の移動デバイス。
［３４］前記ロジックは、前記移動デバイスの外部のＧＰＳデバイスと通信することによって、前記移動デバイスの前記位置を特定するように構成される［３３］の移動デバイス。
［３５］前記位置は、前記移動デバイスの速度ベクトルおよび現在の位置に基づく前記移動デバイスの将来の位置である［３１］の移動デバイス。
［３６］前記メッセージは、選択された前記１つまたは複数の隣接ＢＳ候補のそれぞれに関する位置を備える［３１］の移動デバイス。
［３７］前記ＢＳ候補のそれぞれに関する前記位置と前記移動デバイスの前記位置の間の距離に基づいて、スキャンされるべき、またはハンドオーバされるべき前記１つまたは複数の隣接ＢＳ候補に優先順位を付けるように構成されたロジックをさらに備える［３６］の移動デバイス。
［３８］前記ロジックは、前記優先順位付けされた隣接ＢＳ候補の少なくとも１つを探してスキャンするように構成される［３７］の移動デバイス。
［３９］前記ロジックは、前記移動デバイスの前記位置と前記優先順位付けされた隣接ＢＳ候補の１つの候補の位置の間の距離に基づいて、ハンドオーバをトリガするように構成される［３７］の移動デバイス。
［４０］前記移動デバイスの移動方向に基づいて、または前記移動デバイスの前記移動方向、および前記ＢＳ候補のそれぞれに関する前記位置と前記移動デバイスの前記位置の間の距離に基づいて、スキャンされるべき、またはハンドオーバされるべき前記１つまたは複数の隣接ＢＳ候補に優先順位を付けるように構成されたロジックをさらに備える［３７］の移動デバイス。
［４１］１つまたは複数の隣接基地局（ＢＳ）候補を公示するための方法であって、移動局（ＭＳ）の位置を示す信号を受信すること、前記ＭＳの前記位置に基づいて、複数の隣接基地局から前記１つまたは複数の隣接ＢＳ候補を選択すること、および前記１つまたは複数の隣接ＢＳ候補についての情報を備えるメッセージを送信することを備える方法。
［４２］前記メッセージは、隣接基地局公示（ＭＯＢ＿ＮＢＲ−ＡＤＶ）メッセージを備える［４１］の方法。
［４３］前記ＭＳの前記位置は、グローバルポジショニングシステム（ＧＰＳ）座標を備える［４１］の方法。
［４４］前記１つまたは複数の隣接ＢＳ候補を選択することは、前記複数の隣接基地局に関する位置と前記ＭＳの前記位置の間の距離を計算すること、および或るしきい値未満の前記ＭＳの前記位置までの距離を有する前記複数の基地局のいずれかを前記１つまたは複数の隣接ＢＳ候補にグループ化することを備える［４１］の方法。
［４５］前記複数の隣接基地局に関する前記位置は、グローバルポジショニングシステム（ＧＰＳ）座標を備える［４４］の方法。
［４６］前記ＭＳの前記位置は、前記ＭＳの速度ベクトルおよび現在の位置に基づく前記ＭＳの将来の位置である［４１］の方法。
［４７］前記情報は、前記１つまたは複数の隣接ＢＳ候補のそれぞれに関する位置を備える［４１］の方法。
［４８］１つまたは複数のプロセッサによって実行可能である命令が格納されているコンピュータ可読媒体を備える、１つまたは複数の隣接基地局（ＢＳ）候補を公示するためのコンピュータプログラム製品であって、前記命令は、移動局（ＭＳ）の位置を示す信号を受信するための命令、前記ＭＳの前記位置に基づいて、複数の隣接基地局から前記１つまたは複数の隣接ＢＳ候補を選択するための命令、前記１つまたは複数の隣接ＢＳ候補についての情報を備えるメッセージを送信するための命令を備えるコンピュータプログラム製品。
［４９］前記メッセージは、隣接基地局公示（ＭＯＢ＿ＮＢＲ−ＡＤＶ）メッセージを備える［４８］のコンピュータプログラム製品。
［５０］前記ＭＳの前記位置は、グローバルポジショニングシステム（ＧＰＳ）座標を備える［４８］のコンピュータプログラム製品。
［５１］前記１つまたは複数の隣接ＢＳ候補を選択するための前記命令は、前記複数の隣接基地局に関する位置と前記ＭＳの前記位置の間の距離を計算するための命令、および或るしきい値未満の前記ＭＳの前記位置までの距離を有する前記複数の基地局のいずれかを前記１つまたは複数の隣接ＢＳ候補にグループ化するための命令を備える［４８］のコンピュータプログラム製品。
［５２］前記複数の隣接基地局に関する前記位置は、グローバルポジショニングシステム（ＧＰＳ）座標を備える［５１］のコンピュータプログラム製品。
［５３］前記ＭＳの前記位置は、前記ＭＳの速度ベクトルおよび現在の位置に基づく前記ＭＳの将来の位置である［４８］のコンピュータプログラム製品。
［５４］前記情報は、前記１つまたは複数の隣接ＢＳ候補のそれぞれに関する位置を備える［４８］のコンピュータプログラム製品。
［５５］１つまたは複数の隣接基地局（ＢＳ）候補を公示するための装置であって、移動局（ＭＳ）の位置を示す信号を受信するための手段、前記ＭＳの前記位置に基づいて、複数の隣接基地局から前記１つまたは複数の隣接ＢＳ候補を選択するための手段、前記１つまたは複数の隣接ＢＳ候補についての情報を備えるメッセージを送信するための手段を備える装置。
［５６］前記メッセージは、隣接基地局公示（ＭＯＢ＿ＮＢＲ−ＡＤＶ）メッセージを備える［５５］の装置。
［５７］前記ＭＳの前記位置は、グローバルポジショニングシステム（ＧＰＳ）座標を備える［５５］の装置。
［５８］前記１つまたは複数の隣接ＢＳ候補を選択するための前記手段は、前記複数の隣接基地局に関する位置と前記ＭＳの前記位置の間の距離を計算し、さらに或るしきい値未満の前記ＭＳの前記位置までの距離を有する前記複数の基地局のいずれかを前記１つまたは複数の隣接ＢＳ候補にグループ化するように構成される［５５］の装置。
［５９］前記複数の隣接基地局に関する前記位置は、グローバルポジショニングシステム（ＧＰＳ）座標を備える［５８］の装置。
［６０］前記ＭＳの前記位置は、前記ＭＳの速度ベクトルおよび現在の位置に基づく前記ＭＳの将来の位置である［５５］の装置。
［６１］前記情報は、前記１つまたは複数の隣接ＢＳ候補のそれぞれに関する位置を備える［５５］の装置。
［６２］移動局（ＭＳ）の位置を示す信号を受信するように構成された受信機、前記ＭＳの前記位置に基づいて、複数の隣接基地局（ＢＳ）から１つまたは複数の隣接ＢＳ候補を選択するように構成されたロジック、および前記１つまたは複数の隣接ＢＳ候補についての情報を備えるメッセージを送信するように構成された送信機
を備える基地局。
［６３］前記メッセージは、隣接基地局公示（ＭＯＢ＿ＮＢＲ−ＡＤＶ）メッセージを備える［６２］の基地局。
［６４］前記ＭＳの前記位置は、グローバルポジショニングシステム（ＧＰＳ）座標を備える［６２］の基地局。
［６５］前記１つまたは複数の隣接ＢＳ候補を選択するための前記手段は、前記複数の隣接基地局に関する位置と前記ＭＳの前記位置の間の距離を計算し、さらに或るしきい値未満の前記ＭＳの前記位置までの距離を有する前記複数の基地局のいずれかを前記１つまたは複数の隣接ＢＳ候補にグループ化するように構成される［６２］の基地局。
［６６］前記複数の隣接基地局に関する前記位置は、グローバルポジショニングシステム（ＧＰＳ）座標を備える［６５］の基地局。
［６７］前記ＭＳの前記位置は、前記ＭＳの速度ベクトルおよび現在の位置に基づく前記ＭＳの将来の位置である［６２］の基地局。
［６８］前記情報は、前記１つまたは複数の隣接ＢＳ候補のそれぞれに関する位置を備える［６２］の基地局。
［６９］移動局（ＭＳ）がスキャンする、またはハンドオーバする隣接基地局候補の優先順位を決定するための方法であって、複数の隣接基地局（ＢＳ）についての、前記複数の隣接ＢＳのそれぞれに関する位置を含む情報を獲得すること、および前記複数の隣接ＢＳのそれぞれに関する前記位置と前記ＭＳの位置の間の距離に基づいて、スキャンされるべき、またはハンドオーバされるべき前記複数の隣接ＢＳに優先順位を付けることを備える方法。
［７０］前記情報を獲得することは、前記複数の隣接ＢＳのそれぞれに関する前記位置を含む前記情報を有する隣接基地局公示（ＭＯＢ＿ＮＢＲ−ＡＤＶ）メッセージを受信することを備える［６９］の方法。
［７１］グローバルポジショニングシステム（ＧＰＳ）を使用して前記ＭＳの前記位置を特定することをさらに備える［６９］の方法。
［７２］前記ＭＳの前記位置を特定することは、前記ＭＳの外部のＧＰＳデバイスと通信することを備える［７１］の方法。
［７３］前記ＭＳの前記位置は、前記ＭＳの速度ベクトルおよび現在の位置に基づく前記ＭＳの将来の位置である［６９］の方法。
［７４］前記複数の隣接ＢＳに優先順位を付けることは、前記ＭＳの前記位置に基づいて、前記複数の隣接ＢＳのサブセットを選択すること、および前記サブセットの中の前記複数の隣接ＢＳのそれぞれに関する前記位置と前記ＭＳの前記位置の間の距離に基づいて、スキャンされるべき、またはハンドオーバされるべき前記サブセットに優先順位を付けることを備える［６９］の方法。
［７５］前記サブセットを選択することは、前記複数の隣接ＢＳのそれぞれに関する前記位置と前記ＭＳの前記位置の間の距離を計算すること、および或るしきい値未満の前記ＭＳの前記位置までの距離を有する前記複数の基地局のいずれかを前記サブセットにグループ化することを備える［７４］の方法。
［７６］前記優先順位付けされた複数の隣接ＢＳの少なくとも１つを探してスキャンすることをさらに備える［６９］の方法。
［７７］前記ＭＳの前記位置と前記優先順位付けされた複数の隣接ＢＳの１つのＢＳの位置の間の距離に基づいて、ハンドオーバをトリガすることをさらに備える［６９］の方法。
［７８］前記情報を獲得することは、通常の動作中に前記複数の隣接ＢＳのそれぞれに関する前記位置を含む前記情報を学習することを備える［６９］の方法。
［７９］前記情報を獲得することは、前記複数の隣接ＢＳのそれぞれに関する前記位置を、前記複数の隣接ＢＳのそれぞれについての前記情報の残りの部分とマッチングさせるテーブルを受信することを備える［６９］の方法。
［８０］前記テーブルを置き換えること、前記テーブルに少なくとも１つの新たなエントリを追加すること、前記テーブルから少なくとも１つの既存のエントリを削除すること、または前記少なくとも１つの既存のエントリを変更することによって、前記テーブルを更新することをさらに備える［７９］の方法。
［８１］前記複数の隣接ＢＳに優先順位を付けることは、前記ＭＳの移動方向、および前記複数の隣接ＢＳのそれぞれに関する前記位置と前記ＭＳの前記位置の間の距離に基づいて、スキャンされるべき、またはハンドオーバされるべき前記複数の隣接ＢＳに優先順位を付けることを備える［６９］の方法。
［８２］１つまたは複数のプロセッサによって実行可能である命令が格納されているコンピュータ可読媒体を備える、移動局（ＭＳ）がスキャンする、またはハンドオーバする隣接基地局候補の優先順位を決定するためのコンピュータプログラム製品であって、前記命令は、複数の隣接基地局（ＢＳ）についての、前記複数の隣接ＢＳのそれぞれに関する位置を含む情報を獲得するための命令、および前記複数の隣接ＢＳのそれぞれに関する前記位置と前記ＭＳの位置の間の距離に基づいて、スキャンされるべき、またはハンドオーバされるべき前記複数の隣接ＢＳに優先順位を付けるための命令を備えるコンピュータプログラム製品。
［８３］前記情報を獲得するための前記命令は、前記複数の隣接ＢＳのそれぞれに関する前記位置を含む前記情報を有する隣接基地局公示（ＭＯＢ＿ＮＢＲ−ＡＤＶ）メッセージを受信するための命令を備える［８２］のコンピュータプログラム製品。
［８４］グローバルポジショニングシステム（ＧＰＳ）を使用して前記ＭＳの前記位置を特定するための命令をさらに備える［８２］のコンピュータプログラム製品。
［８５］前記ＭＳの前記位置を特定するための前記命令は、前記ＭＳの外部のＧＰＳデバイスと通信するための命令を備える［８４］のコンピュータプログラム製品。
［８６］前記ＭＳの前記位置は、前記ＭＳの速度ベクトルおよび現在の位置に基づく前記ＭＳの将来の位置である［８２］のコンピュータプログラム製品。
［８７］前記複数の隣接ＢＳに優先順位を付けるための命令は、前記ＭＳの前記位置に基づいて、前記複数の隣接ＢＳのサブセットを選択するための命令、および前記サブセットの中の前記複数の隣接ＢＳのそれぞれに関する前記位置と前記ＭＳの前記位置の間の距離に基づいて、スキャンされるべき、またはハンドオーバされるべき前記サブセットに優先順位を付けるための命令を備える［８２］のコンピュータプログラム製品。
［８８］前記サブセットを選択するための前記命令は、前記複数の隣接ＢＳのそれぞれに関する前記位置と前記ＭＳの前記位置の間の距離を計算するための命令、および或るしきい値未満の前記ＭＳの前記位置までの距離を有する前記複数の基地局のいずれかを前記サブセットにグループ化するための命令を備える［８７］のコンピュータプログラム製品。
［８９］前記命令は、前記優先順位付けされた複数の隣接ＢＳの少なくとも１つを探してスキャンするための命令をさらに備える［８２］のコンピュータプログラム製品。
［９０］前記命令は、前記ＭＳの前記位置と前記優先順位付けされた複数の隣接ＢＳの１つのＢＳの位置の間の距離に基づいて、ハンドオーバをトリガするための命令をさらに備える［８２］のコンピュータプログラム製品。
［９１］前記情報を獲得するための前記命令は、通常の動作中に前記複数の隣接ＢＳのそれぞれに関する前記位置を含む前記情報を学習するための命令を備える［８２］のコンピュータプログラム製品。
［９２］前記情報を獲得するための前記命令は、前記複数の隣接ＢＳのそれぞれに関する前記位置を、前記複数の隣接ＢＳのそれぞれについての前記情報の残りの部分とマッチングさせるテーブルを受信するための命令を備える［８２］のコンピュータプログラム製品。
［９３］前記命令は、前記テーブルを置き換えること、前記テーブルに少なくとも１つの新たなエントリを追加すること、前記テーブルから少なくとも１つの既存のエントリを削除すること、または前記少なくとも１つの既存のエントリを変更することによって、前記テーブルを更新するための命令をさらに備える［９２］のコンピュータプログラム製品。
［９４］前記複数の隣接ＢＳに優先順位を付けるための前記命令は、前記ＭＳの移動方向、および前記複数の隣接ＢＳのそれぞれに関する前記位置と前記ＭＳの前記位置の間の距離に基づいて、スキャンされるべき、またはハンドオーバされるべき前記複数の隣接ＢＳに優先順位を付けるための命令を備える［８２］のコンピュータプログラム製品。
［９５］移動局（ＭＳ）がスキャンする、またはハンドオーバする隣接基地局候補の優先順位を決定するための装置であって、複数の隣接基地局（ＢＳ）についての、前記複数の隣接ＢＳのそれぞれに関する位置を含む情報を獲得するための手段、および前記複数の隣接ＢＳのそれぞれに関する前記位置と前記ＭＳの位置の間の距離に基づいて、スキャンされるべき、またはハンドオーバされるべき前記複数の隣接ＢＳに優先順位を付けるための手段を備える装置。
［９６］前記情報を獲得するための前記手段は、前記複数の隣接ＢＳのそれぞれに関する前記位置を含む前記情報を有する隣接基地局公示（ＭＯＢ＿ＮＢＲ−ＡＤＶ）メッセージを受信するための手段を備える［９５］の装置。
［９７］グローバルポジショニングシステム（ＧＰＳ）を使用して前記ＭＳの前記位置を特定するための手段をさらに備える［９５］の装置。
［９８］前記ＭＳの前記位置を特定するための前記手段は、前記ＭＳの外部のＧＰＳデバイスを備える［９７］の装置。
［９９］前記ＭＳの前記位置は、前記ＭＳの速度ベクトルおよび現在の位置に基づく前記ＭＳの将来の位置である［９５］の装置。
［１００］前記複数の隣接ＢＳに優先順位を付けるための前記手段は、前記ＭＳの前記位置に基づいて、前記複数の隣接ＢＳのサブセットを選択し、さらに前記サブセットの中の前記複数の隣接ＢＳのそれぞれに関する前記位置と前記ＭＳの前記位置の間の距離に基づいて、スキャンされるべき、またはハンドオーバされるべき前記サブセットに優先順位を付けるように構成される［９５］の装置。
［１０１］前記サブセットを選択するための前記手段は、前記複数の隣接ＢＳのそれぞれに関する前記位置と前記ＭＳの前記位置の間の距離を計算し、さらに或るしきい値未満の前記ＭＳの前記位置までの距離を有する前記複数の基地局のいずれかを前記サブセットにグループ化するように構成される［１００］の装置。
［１０２］前記優先順位付けされた複数の隣接ＢＳの少なくとも１つを探してスキャンするための手段をさらに備える［９５］の装置。
［１０３］前記ＭＳの前記位置と前記優先順位付けされた複数の隣接ＢＳの１つのＢＳの位置の間の距離に基づいて、ハンドオーバをトリガするための手段をさらに備える［９５］の装置。
［１０４］前記情報を獲得するための前記手段は、通常の動作中に前記複数の隣接ＢＳのそれぞれに関する前記位置を含む前記情報を学習するように構成される［９５］の装置。
［１０５］前記情報を獲得するための前記手段は、前記複数の隣接ＢＳのそれぞれに関する前記位置を、前記複数の隣接ＢＳのそれぞれについての前記情報の残りの部分とマッチングさせるテーブルを受信するように構成される［９５］の装置。
［１０６］前記テーブルを置き換える、前記テーブルに少なくとも１つの新たなエントリを追加する、前記テーブルから少なくとも１つの既存のエントリを削除する、または前記少なくとも１つの既存のエントリを変更するように構成された前記テーブルを更新するための手段をさらに備える［１０５］の装置。
［１０７］前記複数の隣接ＢＳに優先順位を付けるための前記手段は、前記ＭＳの移動方向、および前記複数の隣接ＢＳのそれぞれに関する前記位置と前記ＭＳの前記位置の間の距離に基づいて、スキャンされるべき、またはハンドオーバされるべき前記複数の隣接ＢＳに優先順位を付けるための手段を備える［９５］の装置。
［１０８］移動デバイスであって、複数の隣接基地局（ＢＳ）についての、前記複数の隣接ＢＳのそれぞれに関する位置を含む情報を獲得するように構成された収集ロジック、および前記複数の隣接ＢＳのそれぞれに関する前記位置と当該移動デバイスの位置の間の距離に基づいて、スキャンされるべき、またはハンドオーバされるべき前記複数の隣接ＢＳに優先順位を付けるように構成された優先順位付けロジックを備える移動デバイス。
［１０９］前記収集ロジックは、前記複数の隣接ＢＳのそれぞれに関する前記位置を含む前記情報を有する隣接基地局公示（ＭＯＢ＿ＮＢＲ−ＡＤＶ）メッセージを受信するように構成される［１０８］の移動デバイス。
［１１０］グローバルポジショニングシステム（ＧＰＳ）を使用して前記移動デバイスの前記位置を特定するように構成された位置特定ロジックをさらに備える［１０８］の移動デバイス。
［１１１］前記位置特定ロジックは、前記ＭＳの外部のＧＰＳデバイスと通信するように構成される［１１０］の移動デバイス。
［１１２］前記移動デバイスの前記位置は、前記移動デバイスの速度ベクトルおよび現在の位置に基づく前記移動デバイスの将来の位置である［１０８］の移動デバイス。
［１１３］前記優先順位付けロジックは、前記移動デバイスの前記位置に基づいて、前記複数の隣接ＢＳのサブセットを選択し、さらに前記サブセットの中の前記複数の隣接ＢＳのそれぞれに関する前記位置と前記移動デバイスの前記位置の間の距離に基づいて、スキャンされるべき、またはハンドオーバされるべき前記サブセットに優先順位を付けるように構成される［１０８］の移動デバイス。
［１１４］前記優先順位付けロジックは、前記複数の隣接ＢＳのそれぞれに関する前記位置と前記移動デバイスの前記位置の間の距離を計算し、さらに或るしきい値未満の前記移動デバイスの前記位置までの距離を有する前記複数の基地局のいずれかを前記サブセットにグループ化することによって前記サブセットを選択するように構成される［１１３］の移動デバイス。
［１１５］前記優先順位付けされた複数の隣接ＢＳの少なくとも１つを探してスキャンするように構成されたスキャンロジックをさらに備える［１０８］の移動デバイス。
［１１６］前記移動デバイスの前記位置と前記優先順位付けされた複数の隣接ＢＳの１つのＢＳの位置の間の距離に基づいて、ハンドオーバをトリガするように構成されたトリガロジックをさらに備える［１０８］の移動デバイス。
［１１７］前記収集ロジックは、通常の動作中に前記複数の隣接ＢＳのそれぞれに関する前記位置を含む前記情報を学習するように構成される［１０８］の移動デバイス。
［１１８］前記収集ロジックは、前記複数の隣接ＢＳのそれぞれに関する前記位置を、前記複数の隣接ＢＳのそれぞれについての前記情報の残りの部分とマッチングさせるテーブルを受信するように構成される［１０８］の移動デバイス。
［１１９］前記収集ロジックは、前記テーブルを置き換えることによって前記テーブルを更新するように、前記テーブルに少なくとも１つの新たなエントリを追加するように、前記テーブルから少なくとも１つの既存のエントリを削除するように、または前記少なくとも１つの既存のエントリを変更するように構成される［１１８］の移動デバイス。
［１２０］前記優先順位付けロジックは、前記移動デバイスの移動方向、および前記複数の隣接ＢＳのそれぞれに関する前記位置と前記移動デバイスの前記位置の間の距離に基づいて、スキャンされるべき、またはハンドオーバされるべき前記複数の隣接ＢＳに優先順位を付けるように構成される［１０８］の移動デバイス。
［１２１］複数の隣接基地局（ＢＳ）を公示するための方法であって、前記複数の隣接ＢＳについての、前記複数の隣接ＢＳのそれぞれに関する位置を含む情報を獲得すること、および前記情報を備えるメッセージを送信することを備える方法。
［１２２］前記メッセージは、隣接基地局公示（ＭＯＢ＿ＮＢＲ−ＡＤＶ）メッセージを備える［１２１］の方法。
［１２３］前記複数の隣接ＢＳのそれぞれに関する前記位置は、グローバルポジショニングシステム（ＧＰＳ）座標を備える［１２１］の方法。
［１２４］前記複数の隣接ＢＳのそれぞれに関する前記位置を含む前記情報を獲得することは、ネットワークバックボーンを介して前記情報を受信することを備える［１２１］の方法。
［１２５］前記複数の隣接ＢＳについての前記情報を更新すること、および前記更新された情報を備える新たなメッセージを送信することをさらに備える［１２１］の方法。
［１２６］前記情報を更新することは、前記複数の隣接ＢＳに追加された新たな基地局に関する情報を追加すること、または前記複数から取り除かれた前記複数の隣接ＢＳの１つに関する情報を取り除くことを備える［１２５］の方法。
［１２７］１つまたは複数のプロセッサによって実行可能である命令が格納されているコンピュータ可読媒体を備える、複数の隣接基地局（ＢＳ）を公示するためのコンピュータプログラム製品であって、前記命令は、前記複数の隣接ＢＳについての、前記複数の隣接ＢＳのそれぞれに関する位置を含む情報を獲得するための命令、および前記情報を備えるメッセージを送信するための命令を備えるコンピュータプログラム製品。
［１２８］前記メッセージは、隣接基地局公示（ＭＯＢ＿ＮＢＲ−ＡＤＶ）メッセージを備える［１２７］のコンピュータプログラム製品。
［１２９］前記複数の隣接ＢＳのそれぞれに関する前記位置は、グローバルポジショニングシステム（ＧＰＳ）座標を備える［１２７］のコンピュータプログラム製品。
［１３０］前記複数の隣接ＢＳのそれぞれに関する前記位置を含む前記情報を獲得するための前記命令は、ネットワークバックボーンを介して前記情報を受信するための命令を備える［１２７］のコンピュータプログラム製品。
［１３１］前記オペレーションは、前記複数の隣接ＢＳについての前記情報を更新するための命令、および前記更新された情報を備える新たなメッセージを送信するための命令をさらに備える［１２７］のコンピュータプログラム製品。
［１３２］前記情報を更新するための前記命令は、前記複数の隣接ＢＳに追加された新たな基地局に関する情報を追加するための命令、または前記複数から取り除かれた前記複数の隣接ＢＳの１つに関する情報を取り除くための命令を備える［１３１］のコンピュータプログラム製品。
［１３３］複数の隣接基地局（ＢＳ）を公示するための装置であって、前記複数の隣接ＢＳについての、前記複数の隣接ＢＳのそれぞれに関する位置を含む情報を獲得するための手段、および前記情報を備えるメッセージを送信するための手段を備える装置。
［１３４］前記メッセージは、隣接基地局公示（ＭＯＢ＿ＮＢＲ−ＡＤＶ）メッセージを備える［１３３］の装置。
［１３５］前記複数の隣接ＢＳのそれぞれに関する前記位置は、グローバルポジショニングシステム（ＧＰＳ）座標を備える［１３３］の装置。
［１３６］前記複数の隣接ＢＳのそれぞれに関する前記位置を含む前記情報を獲得するための前記手段は、ネットワークバックボーンを介して前記情報を受信するように構成される［１３３］の装置。
［１３７］前記複数の隣接ＢＳについての前記情報を更新するための手段、および前記更新された情報を備える新たなメッセージを送信するための手段をさらに備える［１３３］の装置。
［１３８］前記情報を更新するための前記手段は、前記複数の隣接ＢＳに追加された新たな基地局に関する情報を追加するように、または前記複数から取り除かれた前記複数の隣接ＢＳの１つに関する情報を取り除くように構成される［１３７］の装置。
［１３９］複数の隣接基地局（ＢＳ）についての、前記複数の隣接ＢＳのそれぞれに関する位置を含む情報を獲得するように構成されたロジック、および前記情報を備えるメッセージを送信するように構成された送信機を備える基地局。
［１４０］前記メッセージは、隣接基地局公示（ＭＯＢ＿ＮＢＲ−ＡＤＶ）メッセージを備える［１３９］の基地局。
［１４１］前記複数の隣接ＢＳのそれぞれに関する前記位置は、グローバルポジショニングシステム（ＧＰＳ）座標を備える［１３９］の基地局。
［１４２］前記ロジックは、ネットワークバックボーンを介して、前記複数の隣接ＢＳのそれぞれに関する前記位置を含む前記情報を受信するように構成される［１３９］の基地局。
［１４３］前記ロジックは、前記複数の隣接ＢＳについての前記情報を更新するように構成され、さらに前記送信機は、前記更新された情報を備える新たなメッセージを送信するように構成される［１３９］の基地局。
［１４４］前記ロジックは、前記複数の隣接ＢＳに追加された新たな基地局に関する情報を追加することによって、または前記複数から取り除かれた前記複数の隣接ＢＳの１つに関する情報を取り除くことによって、前記情報を更新するように構成される［１４３］の基地局。
【外国語明細書】
2014116980000001.pdf